(57)【特許請求の範囲】
【請求項１】
ワイヤレス通信のための方法において、
スケジューリングメッセージにより、ユーザ機器（ＵＥ）に対するセミパーシステント割当てを受信し、前記セミパーシステント割当ては、データの複数の伝送に対して有効であり、前記セミパーシステント割当ての送信電力制御（ＴＰＣ）フィールドにおいて、データの伝送に対するＡＣＫ情報を送信するために肯定応答（ＡＣＫ）リソースの割当てを伝達することと、
前記スケジューリングメッセージが、セミパーシステントスケジューリングに対するものであることを決定することと、
前記セミパーシステント割当ての前記ＴＰＣフィールドから、前記ＡＣＫリソースの前記割当てを取得し、前記ＡＣＫリソースは、前記データの複数の伝送に対して前記ＵＥに割り当てられていることと、
前記セミパーシステント割当てにしたがって送られたデータの前記伝送を受信することと、
前記データの伝送に対する前記ＡＣＫ情報を決定することと、
前記ＡＣＫリソースにより、前記ＡＣＫ情報を送ることと
を含む方法。
【請求項２】
前記ＡＣＫリソースの割当てを取得することは、
前記セミパーシステント割当てから、前記ＡＣＫリソースのインデックスを取得することと、
前記インデックスと、１組の設定されているＡＣＫリソースとに基づいて、前記ＡＣＫリソースを決定することとを含む請求項１記載の方法。
【請求項３】
前記ＡＣＫリソースの割当てを取得することは、
前記セミパーシステント割当てを搬送するスケジューリングメッセージの少なくとも１つのフィールドから、前記ＡＣＫリソースのインデックスを取得することと、
前記インデックスに基づいて、前記ＡＣＫリソースを決定することと
を含む請求項１記載の方法。
【請求項４】
前記少なくとも１つのフィールドは、新規データインジケータフィールドと、冗長バージョンフィールドと、変調およびコーディングスキーム（ＭＣＳ）フィールドとのうちの少なくとも１つを備える請求項３記載の方法。
【請求項５】
前記スケジューリングメッセージは、ダイナミックスケジューリングにより、データの単一の伝送のためのスケジューリング情報を送るためにも使用される請求項３記載の方法。
【請求項６】
前記セミパーシステント割当てを受信することは、
セミパーシステントスケジューリングに対して使用されているセル無線ネットワーク一時識別子（Ｃ−ＲＮＴＩ）に基づいて、スケジューリングメッセージを検出することと、
前記スケジューリングメッセージから、前記セミパーシステント割当てを取得することとを含む請求項１記載の方法。
【請求項７】
前記セミパーシステント割当ては、物理ダウンリンク制御チャネル（ＰＤＣＣＨ）上で受信され、前記データの伝送は、物理ダウンリンク共有チャネル（ＰＤＳＣＨ）上で受信され、前記ＡＣＫリソースは、物理アップリンク制御チャネル（ＰＵＣＣＨ）に対するものである請求項１記載の方法。
【請求項８】
ワイヤレス通信のための装置において、
スケジューリングメッセージにより、ユーザ機器（ＵＥ）に対するセミパーシステント割当てを受信し、前記スケジューリングメッセージが、セミパーシステントスケジューリングに対するものであることを決定し、前記セミパーシステント割当ての前記ＴＰＣフィールドから、前記ＡＣＫリソースの前記割当てを取得し、前記セミパーシステント割当てにしたがって送られたデータの前記伝送を受信し、前記データの伝送に対する前記ＡＣＫ情報を決定し、前記ＡＣＫリソースにより、前記ＡＣＫ情報を送るように構成されている少なくとも１つのプロセッサを具備し、
前記セミパーシステント割当ては、データの複数の伝送に対して有効であり、前記セミパーシステント割当ての送信電力制御（ＴＰＣ）フィールドにおいて、データの伝送に対するＡＣＫ情報を送信するために肯定応答（ＡＣＫ）リソースの割当てを伝達し、
前記ＡＣＫリソースは、前記データの複数の伝送に対して前記ＵＥに割り当てられている装置。
【請求項９】
前記少なくとも１つのプロセッサは、前記セミパーシステント割当てを搬送するスケジューリングメッセージの少なくとも１つのフィールドから、前記ＡＣＫリソースのインデックスを取得し、前記インデックスに基づいて、前記ＡＣＫリソースを決定するように構成されており、
前記少なくとも１つのフィールドは、新規データインジケータフィールドと、冗長バージョンフィールドと、変調およびコーディングスキーム（ＭＣＳ）フィールドのうちの少なくとも１つを備える請求項８記載の装置。
【請求項１０】
前記少なくとも１つのプロセッサは、セミパーシステントスケジューリングに対して使用されているセル無線ネットワーク一時識別子（Ｃ−ＲＮＴＩ）に基づいて、スケジューリングメッセージを検出し、前記スケジューリングメッセージから、前記セミパーシステント割当てを取得するように構成されている請求項８記載の装置。
【請求項１１】
ワイヤレス通信のための装置において、
スケジューリングメッセージにより、ユーザ機器（ＵＥ）に対するセミパーシステント割当てを受信する手段と、
前記スケジューリングメッセージが、セミパーシステントスケジューリングに対するものであることを決定する手段と、
前記セミパーシステント割当ての前記ＴＰＣフィールドから、前記ＡＣＫリソースの前記割当てを取得する手段と、
前記セミパーシステント割当てにしたがって送られたデータの前記伝送を受信する手段と、
前記データの伝送に対する前記ＡＣＫ情報を決定する手段と、
前記ＡＣＫリソースにより、前記ＡＣＫ情報を送る手段とを具備し、
前記セミパーシステント割当ては、データの複数の伝送に対して有効であり、前記セミパーシステント割当ての送信電力制御（ＴＰＣ）フィールドにおいて、データの伝送に対するＡＣＫ情報を送信するために肯定応答（ＡＣＫ）リソースの割当てを伝達し、
前記ＡＣＫリソースは、前記データの複数の伝送に対して前記ＵＥに割り当てられている装置。
【請求項１２】
前記ＡＣＫリソースの割当てを取得する手段は、
前記セミパーシステント割当てを搬送するスケジューリングメッセージの少なくとも１つのフィールドから、前記ＡＣＫリソースのインデックスを取得する手段と、
前記インデックスに基づいて、前記ＡＣＫリソースを決定する手段とを具備し、
前記少なくとも１つのフィールドは、新規データインジケータフィールドと、冗長バージョンフィールドと、変調およびコーディングスキーム（ＭＣＳ）フィールドとのうちの少なくとも１つを備える請求項１１記載の装置。
【請求項１３】
前記セミパーシステント割当てを受信する手段は、
セミパーシステントスケジューリングに対して使用されているセル無線ネットワーク一時識別子（Ｃ−ＲＮＴＩ）に基づいて、スケジューリングメッセージを検出する手段と、
前記スケジューリングメッセージから、前記セミパーシステント割当てを取得する手段とを具備する請求項１１記載の装置。
【請求項１４】
コンピュータ読取り可能記憶媒体において、
スケジューリングメッセージにより、ユーザ機器（ＵＥ）に対するセミパーシステント割当てを、少なくとも１つのコンピュータに受信させるためのコードと、
前記スケジューリングメッセージが、セミパーシステントスケジューリングに対するものであることを、少なくとも１つのコンピュータに決定させるためのコードと、
前記セミパーシステント割当ての前記ＴＰＣフィールドから、前記ＡＣＫリソースの前記割当てを、少なくとも１つのコンピュータに取得させるためのコードと、
前記セミパーシステント割当てにしたがって送られたデータの前記伝送を、少なくとも１つのコンピュータに受信させるためのコードと、
前記データの伝送に対する前記ＡＣＫ情報を、少なくとも１つのコンピュータに決定させるためのコードと、
前記ＡＣＫリソースにより、前記ＡＣＫ情報を、少なくとも１つのコンピュータに送らせるためのコードとを含み、
前記セミパーシステント割当ては、データの複数の伝送に対して有効であり、前記セミパーシステント割当ての送信電力制御（ＴＰＣ）フィールドにおいて、データの伝送に対するＡＣＫ情報を送信するために肯定応答（ＡＣＫ）リソースの割当てを伝達し、
前記ＡＣＫリソースは、前記データの複数の伝送に対して前記ＵＥに割り当てられているコンピュータ読取り可能記憶媒体。
【請求項１５】
ワイヤレス通信のための方法において、
データの単一の伝送のためのスケジューリング情報を搬送する第１のスケジューリングメッセージを受信することと、
前記スケジューリング情報にしたがって送られたデータの第１の伝送を受信することと、
前記第１のスケジューリングメッセージを送るのに使用されたリソースに関係する第１のＡＣＫリソースにより、前記データの第１の伝送に対する第１の肯定応答（ＡＣＫ）情報を送ることと、
データの複数の伝送のためのセミパーシステント割当てを搬送する第２のスケジューリングメッセージを受信することと、
前記第２のスケジューリングメッセージが、セミパーシステントスケジューリングに対するものであることを決定することと、
前記セミパーシステント割当てにしたがって送られたデータの第２の伝送を受信することと、
前記セミパーシステント割当ての前記ＴＰＣフィールドにおいて伝達された第２のＡＣＫリソースにより、前記データの第２の伝送に対する第２のＡＣＫ情報を送ることとを含み、
前記セミパーシステント割当ては、前記セミパーシステント割当ての送信電力制御（ＴＰＣ）フィールドにおいて、データの第２の伝送に対する第２のＡＣＫ情報を送信するために第２のＡＣＫリソースを伝達する方法。
【請求項１６】
前記第２のスケジューリングメッセージの少なくとも１つのフィールドから、前記第２のＡＣＫリソースのインデックスを取得することをさらに含み、前記少なくとも１つのフィールドは、セミパーシステントスケジューリングに対して、ＡＣＫリソースのインデックスを搬送し、ダイナミックスケジューリングに対して、スケジューリング情報を搬送する請求項１５記載の方法。
【請求項１７】
ユーザ機器（ＵＥ）に割り当てられている、第１のセル無線ネットワーク一時識別子（Ｃ−ＲＮＴＩ）に基づいて、前記第１のスケジューリングメッセージを検出することと、
セミパーシステントスケジューリングに対して前記ＵＥに割り当てられている、第２のＣ−ＲＮＴＩに基づいて、前記第２のスケジューリングメッセージを検出することとをさらに含む請求項１５記載の方法。
【請求項１８】
前記第１のスケジューリングメッセージから、第１の変調およびコーディングスキーム（ＭＣＳ）値を取得することと、
前記第１のＭＣＳ値にしたがって、前記データの第１の伝送を処理することと、
前記第２のスケジューリングメッセージから第２のＭＣＳ値を取得することと、
前記第２のＭＣＳ値にしたがって、前記データの第２の伝送を処理することとをさらに含み、
前記第１のＭＣＳ値は、ダイナミックスケジューリングに対して適用可能な、第１の複数のＭＣＳ値のうちの１つであり、
前記第２のＭＣＳ値は、セミパーシステントスケジューリングに対して適用可能な、第２の複数のＭＣＳ値のうちの１つであり、前記第２の複数のＭＣＳ値は、前記第１の複数のＭＣＳ値よりも少ない請求項１５記載の方法。
【請求項１９】
前記第１のＡＣＫリソースは、ＡＣＫ情報の単一の伝送に対して有効であり、前記第２のＡＣＫリソースは、ＡＣＫ情報の複数の伝送に対して有効である請求項１５記載の方法。
【請求項２０】
ワイヤレス通信のための装置において、
データの単一の伝送のためのスケジューリング情報を搬送する第１のスケジューリングメッセージを受信し、前記スケジューリング情報にしたがって送られたデータの第１の伝送を受信し、前記第１のスケジューリングメッセージを送るのに使用されたリソースに関係する第１のＡＣＫリソースにより、前記データの第１の伝送に対する第１の肯定応答（ＡＣＫ）情報を送り、データの複数の伝送のためのセミパーシステント割当てを搬送する第２のスケジューリングメッセージを受信し、前記第２のスケジューリングメッセージが、セミパーシステントスケジューリングに対するものであることを決定し、前記セミパーシステント割当てにしたがって送られたデータの第２の伝送を受信し、前記セミパーシステント割当ての前記ＴＰＣフィールドにおいて伝達された第２のＡＣＫリソースにより、前記データの第２の伝送に対する第２のＡＣＫ情報を送るように構成されている少なくとも１つのプロセッサを具備し、
前記セミパーシステント割当ては、前記セミパーシステント割当ての送信電力制御（ＴＰＣ）フィールドにおいて、データの第２の伝送に対する第２のＡＣＫ情報を送信するために第２のＡＣＫリソースを伝達する装置。
【請求項２１】
前記少なくとも１つのプロセッサは、前記第２のスケジューリングメッセージの少なくとも１つのフィールドから、前記第２のＡＣＫリソースのインデックスを取得するように構成されており、前記少なくとも１つのフィールドは、セミパーシステントスケジューリングに対して、ＡＣＫリソースのインデックスを搬送し、ダイナミックスケジューリングに対して、スケジューリング情報を搬送する請求項２０記載の装置。
【請求項２２】
前記少なくとも１つのプロセッサは、ユーザ機器（ＵＥ）に割り当てられている、第１のセル無線ネットワーク一時識別子（Ｃ−ＲＮＴＩ）に基づいて、前記第１のスケジューリングメッセージを検出し、セミパーシステントスケジューリングに対して前記ＵＥに割り当てられている第２のＣ−ＲＮＴＩに基づいて、前記第２のスケジューリングメッセージを検出するように構成されている請求項２０記載の装置。
【請求項２３】
ワイヤレス通信のための方法において、
肯定応答（ＡＣＫ）リソースをユーザ機器（ＵＥ）に割り当てることと、
スケジューリングメッセージにより、前記ＡＣＫリソースを含んでいるセミパーシステント割当てを前記ＵＥに送り、前記スケジューリングメッセージが、セミパーシステントスケジューリングに対するものであることを示し、前記セミパーシステント割当ては、データの複数の伝送に対して有効であり、前記ＡＣＫリソースは、前記データの複数の伝送に対して前記ＵＥに割り当てられ、前記セミパーシステント割当ての送信電力制御（ＴＰＣ）フィールドにおいて伝達されていることと、
前記セミパーシステント割当てにしたがって、データの伝送を前記ＵＥに送ることと、
前記データの伝送に対するＡＣＫ情報を受信し、前記ＡＣＫ情報は、前記ＡＣＫリソースにより、前記ＵＥによって送られていることと
を含む方法。
【請求項２４】
前記セミパーシステント割当てを送ることは、
前記ＡＣＫリソースのインデックスを、スケジューリングメッセージの少なくとも１つのフィールドにマッピングすることと、
前記セミパーシステント割当てに対する残りの情報を、前記スケジューリングメッセージの、残りのフィールドとビットとにマッピングすることと、
前記スケジューリングメッセージを前記ＵＥに送ることとを含む請求項２３記載の方法。
【請求項２５】
前記少なくとも１つのフィールドは、新規データインジケータフィールドと、冗長バージョンフィールドと、変調およびコーディングスキーム（ＭＣＳ）フィールドとのうちの少なくとも１つを備える請求項２４記載の方法。
【請求項２６】
前記スケジューリングメッセージは、ダイナミックスケジューリングにより、データの単一の伝送のためのスケジューリング情報を送るためにも使用される請求項２４記載の方法。
【請求項２７】
前記セミパーシステント割当てを送ることは、
前記セミパーシステント割当てを搬送するスケジューリングメッセージを発生させることと、
セミパーシステントスケジューリングに対して使用されているセル無線ネットワーク一時識別子（Ｃ−ＲＮＴＩ）に基づいて、前記スケジューリングメッセージを処理することとを含む請求項２３記載の方法。
【請求項２８】
前記セミパーシステント割当ては、物理ダウンリンク制御チャネル（ＰＤＣＣＨ）上で送られ、前記データの伝送は、物理ダウンリンク共有チャネル（ＰＤＳＣＨ）上で送られ、前記ＡＣＫリソースは、物理アップリンク制御チャネル（ＰＵＣＣＨ）に対するものである請求項２３記載の方法。
【請求項２９】
ワイヤレス通信のための装置において、
肯定応答（ＡＣＫ）リソースをユーザ機器（ＵＥ）に割り当て、スケジューリングメッセージにより、前記ＡＣＫリソースを含んでいるセミパーシステント割当てを前記ＵＥに送り、前記スケジューリングメッセージが、セミパーシステントスケジューリングに対するものであることを示し、前記セミパーシステント割当てにしたがって、データの伝送を前記ＵＥに送り、前記データの伝送に対するＡＣＫ情報を受信するように構成されている少なくとも１つのプロセッサを具備し、
前記セミパーシステント割当ては、データの複数の伝送に対して有効であり、
前記ＡＣＫリソースは、前記データの複数の伝送に対して前記ＵＥに割り当てられ、前記セミパーシステント割当ての送信電力制御（ＴＰＣ）フィールドにおいて伝達されており、
前記ＡＣＫ情報は、前記ＡＣＫリソースにより、前記ＵＥによって送られている装置。
【請求項３０】
前記少なくとも１つのプロセッサは、前記ＡＣＫリソースのインデックスを、スケジューリングメッセージの少なくとも１つのフィールドにマッピングし、前記セミパーシステント割当てに対する残りの情報を、前記スケジューリングメッセージの、残りのフィールドとビットとにマッピングし、前記スケジューリングメッセージを前記ＵＥに送るように構成されており、
前記少なくとも１つのフィールドは、新規データインジケータフィールドと、冗長バージョンフィールドと、変調およびコーディングスキーム（ＭＣＳ）フィールドとのうちの少なくとも１つを備えている請求項２９記載の装置。
【請求項３１】
前記少なくとも１つのプロセッサは、前記セミパーシステント割当てを搬送するスケジューリングメッセージを発生させ、セミパーシステントスケジューリングに対して使用されているセル無線ネットワーク一時識別子（Ｃ−ＲＮＴＩ）に基づいて、前記スケジューリングメッセージを処理するように構成されている請求項２９記載の装置。
【請求項３２】
ワイヤレス通信のための方法において、
データの単一の伝送のためのスケジューリング情報を搬送する第１のスケジューリングメッセージを、ユーザ機器（ＵＥ）に送ることと、
前記スケジューリング情報にしたがって、データの第１の伝送を前記ＵＥに送ることと、
前記データの第１の伝送に対する第１の肯定応答（ＡＣＫ）情報を受信し、前記第１のＡＣＫ情報は、前記第１のスケジューリングメッセージを送るのに使用されたリソースに関係する第１のＡＣＫリソースにより、前記ＵＥによって送られていることと、
データの複数の伝送のためのセミパーシステント割当てを搬送する第２のスケジューリングメッセージを、前記ＵＥに送り、前記セミパーシステント割当ては、前記セミパーシステント割当ての送信電力制御（ＴＰＣ）フィールドにおいて、データの第２の伝送に対する第２のＡＣＫ情報を送信するために第２のＡＣＫリソースを伝達することと、
前記セミパーシステント割当てにしたがって、データの前記第２の伝送を前記ＵＥに送ることと、
前記データの第２の伝送に対する前記第２のＡＣＫ情報を受信し、前記第２のＡＣＫ情報は、前記セミパーシステント割当ての前記ＴＰＣフィールドにおいて伝達された前記第２のＡＣＫリソースにより、前記ＵＥによって送られていることと
を含む方法。
【請求項３３】
前記第２のＡＣＫリソースのインデックスを、前記第２のスケジューリングメッセージの少なくとも１つのフィールドにマッピングすることをさらに含み、前記少なくとも１つのフィールドは、セミパーシステントスケジューリングに対して、ＡＣＫリソースのインデックスを搬送し、ダイナミックスケジューリングに対して、スケジューリング情報を搬送する請求項３２記載の方法。
【請求項３４】
前記ＵＥに割り当てられている、第１のセル無線ネットワーク一時識別子（Ｃ−ＲＮＴＩ）により、前記第１のスケジューリングメッセージを処理することと、
セミパーシステントスケジューリングに対して前記ＵＥに割り当てられている、第２のＣ−ＲＮＴＩにより、前記第２のスケジューリングメッセージを処理することとをさらに含む請求項３２記載の方法。
【請求項３５】
ダイナミックスケジューリングに対して適用可能な、第１の複数の、変調およびコーディングスキーム（ＭＣＳ）値から、第１のＭＣＳ値を選択することと、
前記第１のＭＣＳ値にしたがって、前記データの第１の伝送を処理することと、
セミパーシステントスケジューリングに対して適用可能な、第２の複数のＭＣＳ値から、第２のＭＣＳ値を選択することと、
前記第２のＭＣＳ値にしたがって、前記データの第２の伝送を処理することとをさらに含み、
前記第２の複数のＭＣＳ値は、前記第１の複数のＭＣＳ値よりも少ない請求項３２記載の方法。
【請求項３６】
前記第１のＡＣＫリソースは、ＡＣＫ情報の単一の伝送に対して有効であり、前記第２のＡＣＫリソースは、ＡＣＫ情報の複数の伝送に対して有効である請求項３２記載の方法。
【請求項３７】
ワイヤレス通信のための装置において、
データの単一の伝送のためのスケジューリング情報を搬送する第１のスケジューリングメッセージを、ユーザ機器（ＵＥ）に送り、前記スケジューリング情報にしたがって、データの第１の伝送を前記ＵＥに送り、前記第１のスケジューリングメッセージを送るのに使用されたリソースに関係する第１のＡＣＫリソース上で、前記データの第１の伝送に対する第１の肯定応答（ＡＣＫ）情報を受信し、データの複数の伝送のためのセミパーシステント割当てを搬送する第２のスケジューリングメッセージを、前記ＵＥに送り、前記セミパーシステント割当ては、前記セミパーシステント割当ての送信電力制御（ＴＰＣ）フィールドにおいて、データの第２の伝送に対する第２のＡＣＫ情報を送信するために第２のＡＣＫリソースを伝達することと、前記セミパーシステント割当てにしたがって、データの前記第２の伝送を前記ＵＥに送り、前記セミパーシステント割当てにより伝達された前記第２のＡＣＫリソース上で、前記データの第２の伝送に対する前記第２のＡＣＫ情報を受信するように構成されている少なくとも１つのプロセッサを具備する装置。
【請求項３８】
前記少なくとも１つのプロセッサは、前記第２のＡＣＫリソースのインデックスを、前記第２のスケジューリングメッセージの少なくとも１つのフィールドにマッピングするように構成されており、前記少なくとも１つのフィールドは、セミパーシステントスケジューリングに対して、ＡＣＫリソースのインデックスを搬送し、ダイナミックスケジューリングに対して、スケジューリング情報を搬送する請求項３７記載の装置。
【請求項３９】
前記少なくとも１つのプロセッサは、前記ＵＥに割り当てられている、第１のセル無線ネットワーク一時識別子（Ｃ−ＲＮＴＩ）により、前記第１のスケジューリングメッセージを処理し、セミパーシステントスケジューリングに対して前記ＵＥに割り当てられている、第２のＣ−ＲＮＴＩにより、前記第２のスケジューリングメッセージを処理するように構成されている請求項３７記載の装置。
【発明の詳細な説明】
【優先権の主張】
【０００１】
本出願は、２００８年３月２８日に出願され、本出願の譲受人に譲渡され、参照により明白にここに組み込まれている、“ＵＬ−ＡＣＫのダイナミックスケジューリング”と題する仮米国出願第６１／０４０，６０９号に対する優先権を主張する。
【分野】
【０００２】
本開示は一般に、通信に関し、より詳細には、ワイヤレス通信システム中でリソースを割り当てる技術に関する。
【背景】
【０００３】
ワイヤレス通信システムは、音声や、ビデオや、パケットデータや、メッセージングや、ブロードキャストなどのような、さまざまな通信コンテンツを提供するために広く展開されている。これらのワイヤレスシステムは、利用可能なシステムリソースを共有することにより、複数のユーザをサポートできる多元接続システムであってもよい。このような多元接続システムの例は、コード分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単一搬送波ＦＤＭＡ（ＳＣ−ＦＤＭＡ）システムとを含む。
【０００４】
ワイヤレス通信システムは、多数のユーザ機器（ＵＥ）に対する通信をサポートできる、多数のノードＢを含んでいてもよい。ノードＢは、ダウンリンクおよびアップリンク上でＵＥと通信してもよい。ダウンリンク（すなわりフォワードリンク）は、ノードＢからＵＥへの通信リンクを指し、アップリンク（すなわち、リバースリンク）は、ＵＥからノードＢへの通信リンクを指す。ノードＢは、ＵＥに対してデータの伝送を送ってもよい。ＵＥは、データの伝送をデコードしてもよく、ノードＢに対して肯定応答（ＡＣＫ）情報を送ってもよい。ＡＣＫ情報は、データの伝送が、ＵＥにより正しくデコードされたか、または誤ってデコードされたかを示してもよい。ノードＢは、ＡＣＫ情報に基づいて、ＵＥに対して、データの再送を送るか、または、データの新しい伝送を送るかを決定してもよい。ＡＣＫ情報を送るために、ＡＣＫリソースをＵＥに効率的に割り当てることが望まれるかもしれない。
【概要】
【０００５】
ワイヤレス通信システム中でＡＣＫリソースをＵＥにダイナミックに割り当てる技術をここで説明する。システムは、ダイナミックスケジューリングと、セミパーシステントスケジューリングとをサポートしてもよい。ダイナミックスケジューリングに対して、スケジューリングメッセージを使用して、データの単一の伝送のためのスケジューリング情報を送ってもよい。セミパーシステントスケジューリングに対して、スケジューリングメッセージを使用して、データの複数の伝送のためのセミパーシステント割当てを送ってもよい。
【０００６】
１つの観点において、ダイナミックスケジューリングに対するスケジューリング情報を搬送するために通常使用される、スケジューリングメッセージの少なくとも１つのフィールドを再利用して、セミパーシステントスケジューリングに対するＡＣＫリソースの割当てを搬送してもよい。少なくとも１つのフィールドは、新規インジケータフィールド、冗長バージョンフィールド、変調およびコーディングスキーム（ＭＣＳ）フィールド、送信電力制御（ＴＰＣ）コマンドフィールドなどを含んでいてもよい。
【０００７】
１つの設計において、ＵＥは、セミパーシステント割当てを搬送するスケジューリングメッセージを受信してもよく、セミパーシステント割当てから、ＡＣＫリソースの割当てを取得してもよい。ＵＥは、スケジューリングメッセージの少なくとも１つのフィールドから、ＡＣＫリソースのインデックスを取得してもよく、インデックスに基づいて、ＡＣＫリソースを決定してもよい。ＵＥは、セミパーシステント割当てにしたがって送られたデータの伝送を受信し、データの伝送に対するＡＣＫ情報を決定し、ＡＣＫリソースにより、ＡＣＫ情報を送ってもよい。
【０００８】
別の設計において、ＵＥは、ダイナミックスケジューリングに対するスケジューリング情報を搬送する第１のスケジューリングメッセージを受信してもよく、スケジューリング情報にしたがって送られたデータの第１の伝送を受信してもよい。ＵＥは、第１のスケジューリングメッセージを送るのに使用されたリソースに関係する第１のＡＣＫリソースにより、データの第１の伝送に対するＡＣＫ情報を送ってもよい。ＵＥは、セミパーシステントスケジューリングのためのセミパーシステント割当てを搬送する第２のスケジューリングメッセージを受信してもよい。ＵＥは、セミパーシステント割当てにしたがって送られたデータの第２の伝送を受信してもよい。ＵＥは、セミパーシステント割当てにより伝達された第２のＡＣＫリソースにより、データの第２の伝送に対するＡＣＫ情報を送ってもよい。したがって、ＡＣＫリソースは、ダイナミックスケジューリングと、セミパーシステントスケジューリングとに対して、異なる方法で伝達されてもよい。
【０００９】
本開示のさまざまな観点および特徴を、以下でさらに詳細に説明する。
【図面の簡単な説明】
【００１０】
【図１】図１は、ワイヤレス通信システムを示す。
【図２】図２は、ダイナミックスケジューリングによるデータ伝送を示す。
【図３】図３は、セミパーシステントスケジューリングによるデータ伝送を示す。
【図４Ａ】図４Ａは、図４Ｂと異なるフォーマットを有するスケジューリングメッセージを示す。
【図４Ｂ】図４Ｂは、図４Ａと異なるフォーマットを有するスケジューリングメッセージを示す。
【図５】図５は、スケジューリングメッセージのための処理ユニットを示す。
【図６】図６は、セミパーシステントスケジューリングによりデータを受信するプロセスを示す。
【図７】図７は、セミパーシステントスケジューリングによりデータを受信する装置を示す。
【図８】図８は、ダイナミックスケジューリングとセミパーシステントスケジューリングとによりデータを受信するプロセスを示す。
【図９】図９は、ダイナミックスケジューリングとセミパーシステントスケジューリングとによりデータを受信する装置を示す。
【図１０】図１０は、セミパーシステントスケジューリングによりデータを送るプロセスを示す。
【図１１】図１１は、セミパーシステントスケジューリングによりデータを送る装置を示す。
【図１２】図１２は、ダイナミックスケジューリングとセミパーシステントスケジューリングとを有するデータを送るプロセスを示す。
【図１３】図１３は、ダイナミックスケジューリングとセミパーシステントスケジューリングとによりデータを送る装置を示す。
【図１４】図１４は、ノードＢおよびＵＥのブロック図を示す。
【詳細な説明】
【００１１】
ここで記述する技術は、ＣＤＭＡや、ＴＤＭＡや、ＦＤＭＡや、ＯＦＤＭＡや、ＳＣ−ＦＤＭＡや、他のシステムのような、さまざまなワイヤレス通信システムに対して使用してもよい。用語“システム”および“ネットワーク”は、区別なく使用されることが多い。ＣＤＭＡシステムは、ユニバーサル地上無線アクセス（ＵＴＲＡ）や、ｃｄｍａ２０００などのような無線技術を実現してもよい。ＵＴＲＡは、広帯域ＣＤＭＡ（ＷＣＤＭＡ）と、ＣＤＭＡの他の変形体とを含む。ｃｄｍａ２０００は、ＩＳ−２０００、ＩＳ−９５およびＩＳ−８５６の標準規格をカバーする。ＴＤＭＡシステムは、移動体通信用グローバルシステム（ＧＳＭ（登録商標））のような無線技術を実現してもよい。ＯＦＤＭＡシステムは、進化型ＵＴＲＡ（Ｅ−ＵＴＲＡ）や、ウルトラモバイルブロードバンド（ＵＭＢ）や、ＩＥＥＥ８０２．１１（Ｗｉ−Ｆｉ）や、ＩＥＥＥ８０２．１６（ＷｉＭＡＸ）や、ＩＥＥＥ８０２．２０や、フラッシュ−ＯＦＤＭ（登録商標）などのような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、Ｅ−ＵＴＲＡを使用するＵＭＴＳの、これから出てくるリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥおよびＧＳＭは、“第３世代パートナーシップ・プロジェクト”（３ＧＰＰ）と名付けられた組織からの文書で説明されている。ｃｄｍａ２０００およびＵＭＢは、“第３世代パートナーシップ・プロジェクト２”（３ＧＰＰ２）と名付けられた組織からの文書で説明されている。ここで記述する技術は、上述したシステムおよび無線技術に対してだけでなく、他のシステムおよび無線技術に対して使用してもよい。明瞭にするために、技術のいくつかの観点を、ＬＴＥに対して以下で説明し、ＬＴＥの用語は、以下の記述の多くにおいて使用される。
【００１２】
図１は、ワイヤレス通信システム１００を示す。ワイヤレス通信システム１００は、ＬＴＥシステムであってもよい。システム１００は、多数のノードＢ１１０と、他のネットワークエンティティとを含んでいてもよい。ノードＢは、ＵＥと通信する局であってもよく、進化型ノードＢ（ｅＮＢ）、基地局、アクセスポイントなどと呼ばれることがある。ＵＥ１２０は、システム全体にわたって分散されていてもよく、各ＵＥは、固定されたものであってもよく、または移動するものであってもよい。ＵＥはまた、移動局、端末、アクセス端末、加入者ユニット、局などと呼ばれることがある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局などであってもよい。
【００１３】
システムは、ハイブリッド自動再送（ＨＡＲＱ）を有するデータ伝送をサポートしてもよい。ダウンリンク上でのＨＡＲＱに対して、ノードＢは、トランスポートブロックの伝送を送ってもよく、（必要に応じて）トランスポートブロックが、受信ＵＥにより正しくデコードされるか、または、最大数の伝送が送られるか、または、他の何らかの終了条件が生じるまで、トランスポートブロックの１つ以上の追加の伝送を送ってもよい。トランスポートブロックは、パケット、データブロックなどと呼ばれることがある。トランスポートブロックの最初の伝送は、新規の伝送と呼ばれてもよく、トランスポートブロックのそれぞれの追加の伝送は、再送と呼ばれてもよい。
【００１４】
システムはまた、データ伝送に対して、ダイナミックスケジューリングとセミパーシステント（ｓｅｍｉ−ｐｅｒｓｉｓｔｅｎｔ）スケジューリングとをサポートしてもよい。ダイナミックスケジューリングに対して、スケジューリング情報は、データの各伝送とともに送られてもよく、そのデータの伝送に対して使用されるパラメータおよびリソースを伝達してもよい。セミパーシステントスケジューリングに対して、スケジューリング情報は、一度送られてもよく、データの複数の伝送に対して適用できてもよい。ダイナミックスケジューリングは、柔軟性を提供してもよいのに対して、セミパーシステントスケジューリングは、シグナリングのオーバーヘッドを低減させてもよい。
【００１５】
図２は、ダイナミックスケジューリングによるダウンリンク上での例示的なデータ伝送を示す。各リンクに対する伝送タイムラインは、サブフレームの単位に分割されていてもよい。各サブフレームは、例えば、１ミリ秒（ｍｓ）のような、特定の継続時間を有してもよい。図２中で示すような周波数分割複信（ＦＤＤ）に対して、ダウンリンク（ＤＬ）およびアップリンク（ＵＬ）に、異なる周波数チャネルを割り振ってもよい。異なる周波数チャネル上でダウンリンクおよびアップリンクによって、異なる伝送を同時に送ってもよい。ノードＢは、ＵＥに送るデータを有していてもよく、サブフレームｔ1において、物理ダウンリンク制御チャネル（ＰＤＣＣＨ）上でスケジューリング情報を送ってもよい。スケジューリング情報は、１つ以上の制御チャネルエレメント（ＣＣＥ）中で送られてもよく、以下で記述するさまざまなパラメータを含んでいてもよい。ノードＢは、サブフレームｔ1において、物理ダウンリンク共有チャネル（ＰＤＳＣＨ）上で１つ以上のトランスポートブロックの伝送を送ってもよい。ノードＢは、１つ以上のリソースブロック中で、スケジューリング情報により伝達されるパラメータにしたがって、トランスポートブロックを送ってもよい。ＵＥは、ＰＤＣＣＨからスケジューリング情報を受信してもよく、スケジューリング情報にしたがってＰＤＳＣＨ上での伝送を処理して、ノードＢにより送られたトランスポートブロックを回復してもよい。ＵＥは、各トランスポートブロックが、ＵＥにより正しくデコードされたか、または誤ってデコードされたかを示すＡＣＫ情報（または、ＵＬ−ＡＣＫ）を発生させてもよい。ＵＥは、サブフレームｔ1＋Ｑにおいて、物理アップリンク制御チャネル（ＰＵＣＣＨ）上でＡＣＫ情報を送ってもよく、ここで、Ｑは、２、４または、他の何らかの値に等しくてもよい。Ｑは、ダウンリンク上でのデータ伝送と、アップリンク上での対応するＡＣＫ伝送との間のサブフレームのオフセットである。ノードＢは、ＵＥからＡＣＫ情報を受信してもよく、誤ってデコードされた各トランスポートブロックの再送を送ってもよい。
【００１６】
ＵＥは、ＡＣＫリソースによりＡＣＫ情報を送ってもよく、ＡＣＫリソースは、ＰＵＣＣＨリソース、ＡＣＫチャネルなどと呼ばれることもある。ＡＣＫリソースは、無線リソース、コードリソース（例えば、直交シーケンス、基準信号シーケンスなど）、および／またはＡＣＫ情報を送るために使用される他のリソースと関連していてもよい。例えば、ＬＴＥにおいて、ＡＣＫリソースは、ＡＣＫインデックスｎ（１）_ＰＵＣＣＨにより与えられてもよく、（ｉ）ＡＣＫ情報を送るための時間−周波数位置（例えば、リソースブロック）、（ｉｉ）周波数領域中でＡＣＫ情報を拡散させるために使用されるＺａｒｄｏｆｆ−Ｃｈｕシーケンスのサイクリックシフト、（ｉｉｉ）時間領域中でＡＣＫ情報を拡散させるために使用される直交またはウォルシュ拡散シーケンス、と関連していてもよい。
【００１７】
ダイナミックスケジューリングに対して、ＵＥにより使用するＡＣＫリソースを、次のように決定してもよい：  
ｎPUCCH＝ｎCCE＋ＮPUCCH            等式（１）  
ここで、ｎCCEは、スケジューリング情報を送るために使用される最初のＣＣＥのインデックスであり、ｎPUCCHは、ＡＣＫリソースのインデックスであり、ＮPUCCHは、上位レイヤにより設定されるパラメータである。
【００１８】
ＮPUCCHは、無線リソース制御（ＲＲＣ）により設定されて、ＵＥにブロードキャストされてもよい。ダイナミックスケジューリングに対して、例えば、等式（１）中で示すように、ＡＣＫリソースを、スケジューリング情報を搬送する最初のＣＣＥにリンクさせてもよい。したがって、ＡＣＫリソースは、スケジューリング情報によって暗黙的に伝達されもよく、ＡＣＫリソース割当てをＵＥに送るために、いかなる追加のオーバーヘッドも消費されない。
【００１９】
ダイナミックにスケジューリングに対して、データの各伝送は、上述したように発生してもよい。データの各伝送に対して、ノードＢは、１つ以上のＣＣＥ中でスケジューリング情報を送ってもよく、スケジューリング情報により伝達される１つ以上のリソースブロック中で、１つ以上のトランスポートブロックの伝送を送ってもよい。ＵＥは、スケジューリング情報を搬送する最初のＣＣＥに基づいて決定されたＡＣＫリソースによりＡＣＫ情報を送ってもよい。
【００２０】
図３は、セミパーシステントスケジューリングによるダウンリンク上での例示的なデータ伝送を示す。ノードＢは、サブフレームｔ1において、ＰＤＣＣＨ上でセミパーシステント割当てまたは許可を送ってもよい。セミパーシステント割当ては、ダウンリンク上でのデータ伝送に対するさまざまなパラメータだけでなく、アップリンクに対するＡＣＫリソース割当ても含んでいてもよい。１つの設計において、上位レイヤ（例えば、ＲＲＣ）が、１組のＡＣＫリソースを設定してもよく、ＡＣＫリソースの割当ては、１組の設定されたＡＣＫリソース中のＡＣＫリソースに対するインデックスを含んでいてもよい。別の設計において、ＡＣＫリソースの割当ては、何らかの利用可能なＡＣＫリソースを割り当ててもよい。
【００２１】
ノードＢは、サブフレームｔ1において、ＰＤＳＣＨ上で１つ以上のトランスポートブロックの伝送を送ってもよい。ノードＢは、１つ以上のリソースブロック中で、セミパーシステント割当てによって伝達されるパラメータにしたがって、トランスポートブロックを送ってもよい。ＵＥは、ＰＤＣＣＨからセミパーシステント割当てを受信してもよく、セミパーシステント割当てにしたがってＰＤＳＣＨ上での伝送を処理して、ノードＢにより送られたトランスポートブロックを回復してもよい。ＵＥは、トランスポートブロックに対するＡＣＫ情報を発生させてもよく、サブフレームｔ1＋Ｑにおいて、ＡＣＫ情報を送ってもよい。ＡＣＫ情報は、セミパーシステント割当てにより伝達されたＡＣＫリソースにより送ってもよい。
【００２２】
セミパーシステントスケジューリングに対して、セミパーシステント割当ては、データの最初の伝送とともに一度送ってもよく、予め定められている時間期間に対して、または、セミパーシステント割当てが無効にされるまで、有効であってもよい。ＡＣＫリソースの割当ては、セミパーシステント割当てが有効である継続時間である、全体のセミパーシステントスケジューリング間隔に対して有効であろう。ノードＢは、セミパーシステントスケジューリング間隔の間に、何らかのスケジューリング情報を送ることを必要とせず、セミパーシステント割当てにしたがって、データの新しい伝送を送ってもよい。ＵＥは、セミパーシステント割当てにより提供されたＡＣＫリソースを使用して、ノードＢから受信したデータの新しい各伝送に対してＡＣＫ情報を送ってもよい。例えば、ノードＢは、サブフレームｔ1、ｔ2=ｔ1＋Ｍ、ｔ3=ｔ1＋２Ｍ、．．．、および、ｔL=ｔ1＋Ｌ・Ｍにおいて、周期的なレートで新しい伝送を送ってもよく、ここで、ＭおよびＬ、ならびに／あるいは、セミパーシステントスケジューリング間隔は設定されていてもよい。例えば、ＬＴＥにおいて、パラメータＭは、上位レイヤ（例えば、ＲＲＣ）により設定されてもよい。ＵＥは、割り当てられたＡＣＫリソースにより、対応するサブフレームｔ1＋Ｑ、ｔ2＋Ｑ、ｔ3＋Ｑ、．．．、およびｔL＋ＱにおいてＡＣＫ情報を送ってもよい。
【００２３】
ノードＢはまた、セミパーシステントスケジューリング期間の間にデータの再送を送ってもよく、例えば、ダイナミックスケジューリングに対する方法と同じ方法で、データの各再送に対するスケジューリング情報を送ってもよい。ＵＥは、各再送に対するスケジューリング情報を搬送する最初のＣＣＥに関係するＡＣＫリソースにより、データの各再送に対するＡＣＫ情報を送ってもよい。
【００２４】
１つの観点において、セミパーシステントスケジューリングに対するＡＣＫリソースの割当てを、スケジューリングメッセージの少なくとも１つの既存のフィールドを再利用することにより送ってもよい。スケジューリングメッセージは、ダイナミックスケジューリングに対するスケジューリング情報を搬送するための、多数のフィールドを含んでいてもよい。動作を簡単にするために、スケジューリングメッセージを使用して、セミパーシステントスケジューリングに対するセミパーシステントの割当てを送ってもよい。ダイナミックスケジューリングに対するスケジューリング情報を搬送するために通常使用される少なくとも１つのフィールドを再利用して、セミパーシステントスケジューリングに対するＡＣＫリソースの割当てを搬送してもよい。
【００２５】
さまざまなフォーマットをスケジューリングメッセージに対して規定してもよく、さまざまなフォーマットは、異なる動作シナリオに対して適用できるものであってもよい。各フォーマットは、スケジューリング情報のための１組のパラメータに対する、特定の１組のフィールドを含んでいてもよい。
【００２６】
図４Ａは、ＬＴＥにより規定されているフォーマット１および１Ａにしたがった、スケジューリングメッセージ４１０を示す。フォーマット１および１Ａを使用して、ＰＤＳＣＨ上での、１つのトランスポートブロックの伝送をスケジュールしてもよい。メッセージ４１０は、リソースブロック割当てフィールドと、ＨＡＲＱプロセス番号フィールドと、変調およびコーディングスキーム（ＭＣＳ）フィールドと、新規データインジケータフィールドと、冗長バージョンフィールドと、送信電力制御（ＴＰＣ）コマンドフィールドとを含む。冗長バージョンフィールドと、新規データインジケータフィールドは、再送シーケンス番号フィールドに属しているものと考えてもよい。メッセージ４１０はまた、簡単にするために図４Ａ中で示していない、他のフィールドを含んでいてもよい。
【００２７】
ＨＡＲＱに対して、多数のＨＡＲＱプロセスを規定してもよい。各ＨＡＲＱプロセスを使用して、トランスポートブロックの新しい伝送と、すべての再送とを送ってもよい。ＨＡＲＱプロセスは、ＨＡＲＱプロセスが利用可能な場合に、トランスポートブロックに対して開始してもよく、トランスポートブロックが正しくデコードされたときに終了してもよい。トランスポートブロックは、トランスポートブロックに対して選択されたＭＣＳにしたがってエンコードされて、コードワードが取得されてもよい。コードワードは、複数の冗長バージョンに分割されてもよく、各冗長バージョンは、トランスポートブロックに対する、異なるコード化情報（またはコードビット）を含んでいてもよい。ノードＢは、１つの冗長バージョンを選択して、トランスポートブロックの伝送を送ってもよい。
【００２８】
表１は、スケジューリングメッセージ４１０のフィールドをリスト表示し、各フィールドに対する短い説明を提供する。表１はまた、各フィールドのサイズをビット数で与える。
【表１】
0005571653.tif 000002
【００２９】
図４Ｂは、ＬＴＥにより規定されているフォーマット２および２Ａにしたがったスケジューリングメッセージ４２０を示す。フォーマット２および２Ａを使用して、空間多重化モードにおいて、ＰＤＳＣＨ上での１つまたは２つのトランスポートブロックの伝送をスケジュールしてもよい。メッセージ４２０は、リソースブロック割当てフィールドと、ＴＰＣコマンドフィールドと、ＨＡＲＱプロセス番号フィールドと、２つのトランスポートブロックに対する２組のフィールドとを含んでいる。各組は、ＭＣＳフィールドと、新規データインジケータフィールドと、冗長バージョンフィールドとを含んでいる。メッセージ４２０はまた、簡単にするために図４Ｂ中で示していない他のフィールドを含んでいてもよい。メッセージ４２０中のフィールドは、表１中で説明されている。
【００３０】
図４Ａおよび４Ｂは、スケジューリング情報を送るために使用してもよい２つのフォーマットを示す。他のフォーマットを使用してもよく、他のフォーマットは、図４Ａおよび４Ｂ中で示したフィールドとは異なるフィールドを含んでいてもよい。明瞭にするために、以下の説明の多くは、スケジューリングメッセージ４１０および４２０を参照する。
【００３１】
ダイナミックスケジューリングに対して、メッセージ４１０または４２０を使用して、データの伝送に対するスケジューリング情報を送ってもよい。１つまたは複数のトランスポートブロックが送られるかどうか、および／または他の考慮に基づいて、適切なスケジューリングメッセージを選択してもよい。
【００３２】
セミパーシステントスケジューリングに対して、メッセージ４１０または４２０を使用して、データの最初の伝送とともに、セミパーシステント割当てを送ってもよい。メッセージ４１０または４２０のうちの少なくとも１つのフィールドを使用して、ＡＣＫリソース割当てを送ってもよい。一般に、いずれかのフィールドを使用して、ＡＣＫリソース割当てを送ってもよい。しかしながら、セミパーシステントスケジューリングに関係がない（または、関係がないような）フィールドを選択することが望まれるかもしれない。例えば、データの最初の伝送にあまり適用できないかもしれない、および／または性能にほとんど悪影響を及ぼさないかもしれないフィールドを選択してもよい。選択するフィールドの数は、ＡＣＫリソースを送るのに必要とされるビットの数に依存してもよい。
【００３３】
１つの設計において、ＡＣＫリソース割当ては、新規データインジケータフィールド、冗長バージョンフィールドおよびＴＰＣコマンドフィール中で送ってもよい。図４Ａおよび４Ｂ中で示した設計において、５ビットが、これらの３つのフィールドに対して利用可能である。３２個までのＡＣＫリソースが、設定または規定され、０ないし３１のインデックスが割り当てられてもよい。設定されたＡＣＫリソースは、ＵＥにブロードキャストされてもよく、または、ＵＥによりアプリオリに知られていてもよい。３２個までの可能性のあるＡＣＫリソースのうちの１つに対する、５ビットのＡＣＫリソースインデックスを、ＵＥに対して３つのフィールド中で送ってもよい。ＵＥは、３つのフィールドからＡＣＫリソースインデックスを取得してもよく、ＡＣＫリソースインデックスと、設定されているＡＣＫリソースとに基づいて、ＵＥに割り当てられているＡＣＫリソースを決定してもよい。ＵＥはＡＣＫリソースを使用して、セミパーシステントスケジューリング期間の間にＡＣＫ情報を送ってもよい。
【００３４】
別の設計において、ＡＣＫリソース割当ては、新規データインジケータフィールド、冗長バージョンフィールド、ＴＰＣコマンドフィールドおよび、ＭＣＳフィールドのすべてまたはサブセット、中で送ってもよい。例えば、ＭＣＳフィールドにおける２ビットを、他の３つのフィールドからの５ビットとともに使用してもよい。１２８個までのＡＣＫリソースを、４つのフィールドにおける７ビットにより設定してもよい。１２８個までの設定されるＡＣＫリソースのうちの１つに対する、７ビットのＡＣＫリソースインデックスを、ＵＥに対して４つのフィールド中で送ってもよい。ＭＣＳフィールドは通常、ダイナミックスケジューリングに対して、３２までのＭＣＳ値のうちの１つを伝達できる。１組の８つのＭＣＳ値が、セミパーシステントスケジューリングに対してサポートされてもよく、例えばＲＲＣのような、上位レイヤにより設定されてもよい。１つのＭＣＳ値を、１組の８つのＭＣＳ値から選択してもよく、ＭＣＳフィールドにおける残りの３ビットにより伝達してもよい。別の例として、６４個までのＡＣＫリソースを、３つのフィールドにおける５ビットと、ＭＣＳフィールドにおける１ビットとにより設定してもよい。１組の１６個のＭＣＳ値が、セミパーシステントスケジューリングに対してサポートされてもよく、１つのＭＣＳ値が選択されて、ＭＣＳフィールドにおける残りの４ビットにより伝達されてもよい。
【００３５】
さらに別の設計において、ＡＣＫリソース割当てを、新規データインジケータフィールドおよび冗長バージョンフィールドにおける２ビットと、ＴＰＣコマンドフィールドにおける１ビットと、ＭＣＳフィールドにおける３ビットとを使用して送ってもよい。６４個までのＡＣＫリソースが、４つのフィールドにおける６ビットにより設定されてもよい。６４個までの設定されるＡＣＫリソースのうちの１つに対する、６ビットのＡＣＫリソースインデックスを、４つのフィールドにおける６ビットを使用して、ＵＥに送ってもよい。
【００３６】
さらに別の設計において、ＡＣＫリソース割当てを、ＴＰＣコマンドフィールド中で送ってもよい。２ビットが、ＴＰＣコマンドフィールドにおいて利用可能である。したがって、４つまでのＡＣＫリソースが設定されて、０ないし３のインデックスが割り当てられてもよい。４つまでの設定されるＡＣＫリソースのうちの１つに対する、２ビットのＡＣＫリソースインデックスを、ＵＥに対してＴＰＣコマンドフィールド中で送ってもよい。
【００３７】
一般に、フィールドおよび／またはビットの何らかの組み合わせを使用して、セミパーシステントスケジューリングに対するＡＣＫリソース割当てを送ってもよい。Ｎビットが、ＡＣＫリソース割当てを送るのに利用可能である場合、２N個までのＡＣＫリソースが、（例えば、ＲＲＣにより）設定されてもよく、０ないし２N−１のインデックスが割り当てられてもよい。設定されたＡＣＫリソースは、ＵＥに対してブロードキャストされてもよく、ＵＥによりアプリオリに知られていてもよい。割り当てられているＡＣＫリソースに対するＮビットのＡＣＫリソースインデックスを、Ｎ個の利用可能なビットを使用して送ってもよい。
【００３８】
スケジューリングメッセージは、ダイナミックスケジューリングに対して、スケジューリング情報を、または、セミパーシステントスケジューリングに対して、セミパーシステント割当てを搬送してもよい。スケジューリングメッセージが、ダイナミックスケジューリングに対して送られるのか、または、セミパーシステントスケジューリングに対して送られるのかを示すために、さまざまなメカニズムを使用してもよい。１つの設計において、ダイナミックスケジューリングとセミパーシステントスケジューリングとに対するスケジューリングメッセージに対して、異なるスクランブリングメカニズムを使用してもよい。別の設計において、メッセージが、ダイナミックスケジューリングに対するものであるか、または、セミパーシステントスケジューリングに対するものであるかを示すために、スケジューリングメッセージは、特別なビットを含んでもよい。さらに別の設計において、セミパーシステントセル無線ネットワーク一時識別子（Ｃ−ＲＮＴＩ）とも呼ばれる、指定されたＣ−ＲＮＴＩを使用して、セミパーシステント割当てを示してもよい。所定のセル中の各ＵＥには、そのセルに対するＵＥの識別として使用する、固有のＣ−ＲＮＴＩが割り当てられてもよい。セミパーシステントスケジューリングがイネーブルにされている各ＵＥには、固有のセミパーシステントＣ−ＲＮＴＩが割り当てられてもよい。ノードＢは、ＵＥに対して通常のＣ−ＲＮＴＩを使用することにより、ダイナミックスケジューリングに対する特定のＵＥに対して、または、ＵＥに対してセミパーシステントＣ−ＲＮＴＩを使用することにより、セミパーシステントスケジューリングに対する特定のＵＥに対して、スケジューリングメッセージを送ってもよい。各ＵＥは、そのＵＥに対する通常のＣ−ＲＮＴＩにより、ノードＢからのスケジューリングメッセージを検出してもよい。セミパーシステントスケジューリングがイネーブルにされている各ＵＥは、そのＵＥに対するセミパーシステントＣ−ＲＮＴＩにより、スケジューリングメッセージを検出してもよい。
【００３９】
１つの設計において、セミパーシステントスケジューリングに対するスケジューリングメッセージ中の、使用されていないフィールドおよび／または使用されていないビットを、指定された値に設定してもよい。例えば、スケジューリングメッセージの、新規データインジケータフィールド、ＨＡＲＱプロセス番号フィールド、冗長バージョンフィールドを、セミパーシステントスケジューリングに対して、すべてゼロの指定された値に設定してもよい。指定された値を受信ＵＥにより使用して、スケジューリングメッセージが（別のＵＥに対するダイナミックスケジューリングではなく）そのＵＥに対するセミパーシステントスケジューリングに対するものであることを確認してもよい。
【００４０】
図５は、セミパーシステントスケジューリングに対するスケジューリングメッセージを発生させて処理する、処理ユニット５００の設計のブロック図を示す。処理ユニット５００内では、マッパー５１０が、セミパーシステントスケジューリング情報（例えば、リソースブロックの割当て、ＭＣＳなど）と、ＵＥに対するＡＣＫリソース割当てとを含むセミパーシステント割当てを受信してもよい。マッパー５１０は、ＡＣＫリソース割当てを、スケジューリングメッセージの少なくとも１つのフィールドにマッピングしてもよく、スケジューリング情報を、スケジューリングメッセージの残りのフィールドおよびビットにマッピングしてもよい。マッパー５１０はまた、スケジューリングメッセージの、使用されていないフィールドおよび／または使用されていないビットを、指定された値（例えば、すべてゼロ）に設定してもよい。巡回冗長検査（ＣＲＣ）発生器５１２が、マッパー５１０からスケジューリングメッセージを受け取り、メッセージに対してＣＲＣを発生させ、ＣＲＣをメッセージに追加してもよい。スクランブラー５１４が、受信ＵＥに対するセミパーシステントＣ−ＲＮＴＩを受け取り、セミパーシステントＣ−ＲＮＴＩに基づいて、スクランブリングビットを発生させ、スクランブリングビットによりスケジューリングメッセージおよびＣＲＣをスクランブルしてもよい。エンコーダ５１６が、スクランブルされたスケジューリングメッセージをエンコードして、エンコードされたメッセージを提供してもよい。エンコードされたメッセージは、さらに処理されてＰＤＣＣＨ上で送られてもよい。
【００４１】
図５は、セミパーシステントスケジューリングに対するスケジューリングメッセージを発生させて処理する処理ユニットの例示的な設計を示す。スケジューリングメッセージはまた、他の方法で発生されて処理されてもよい。
【００４２】
図６は、セミパーシステントスケジューリングによりデータを受信するプロセス６００の設計を示す。プロセス６００は、（以下で記述するように）ＵＥにより実行されてもよく、または、他の何らかのエンティティにより実行されてもよい。ＵＥは、データの複数の伝送に対して有効であるセミパーシステント割当てを受信してもよい（ブロック６１２）。セミパーシステント割当ては、データの複数の伝送をＵＥに送るための１組のパラメータ、例えば、表１中で示したパラメータのすべてまたはいくつか、ならびに／あるいは他のパラメータを含んでいてもよい。セミパーシステント割当てはまた、ＡＣＫリソースの割当てを含んでいてもよい。ＵＥは、セミパーシステント割当てからＡＣＫリソースの割当てを取得してもよい（ブロック６１４）。ＡＣＫリソースが、データの複数の伝送に対してＵＥに割り当てられてもよい。ＵＥは、セミパーシステント割当てにしたがって送られたデータの伝送を受信してもよい（ブロック６１６）。ＵＥは、受信した伝送を処理して、データの伝送に対するＡＣＫ情報を決定してもよい（ブロック６１８）。データの伝送は、１つ以上のトランスポートブロックに対するものであってもよく、ＡＣＫ情報は、各トランスポートブロックが、ＵＥにより、正しくデコードされたか、または、誤ってデコードされたかを示してもよい。ＵＥは、ＡＣＫリソースにより、ＡＣＫ情報を送ってもよい（ブロック６２０）。ＵＥは、セミパーシステント割当てにしたがって送られたデータの追加の伝送を受信してもよい。ＵＥは、ＡＣＫリソースにより、これらのデータの追加の伝送に対するＡＣＫ情報を送ってもよい。
【００４３】
ブロック６１２の１つの設計において、ＵＥは、セミパーシステント割当てを搬送するスケジューリングメッセージを受信してもよい。１つの設計において、ＵＥは、セミパーシステントスケジューリングに対して使用されるＣ−ＲＮＴＩに基づいて、セミパーシステントスケジューリングに対するスケジューリングメッセージを検出してもよい。別の設計において、異なるスクランブリング、特別のビットなどに基づいて、ＵＥは、スケジューリングメッセージがセミパーシステントスケジューリングに対するものであることを決定してもよい。スケジューリングメッセージを使用して、ダイナミックスケジューリングにより、データの単一の伝送のためのスケジューリング情報を送ってもよい。ダイナミックスケジューリングに対して、ＡＣＫリソースは、スケジューリングメッセージを送るために使用されているリソース（例えば、開始ＣＣＥ）に基づいて決定されてもよい。
【００４４】
ブロック６１４の１つの設計において、ＵＥは、スケジューリングメッセージの少なくとも１つのフィールドから、ＵＥに割り当てられているＡＣＫリソースのインデックスを取得してもよい。ＵＥは、インデックスと、（例えば、ＲＲＣにより設定されている）１組の設定されているＡＣＫリソースとに基づいて、ＡＣＫリソースを決定してもよい。少なくとも１つのフィールドは、新規データインジケータフィールド、冗長バージョンフィールド、ＭＣＳフィールド、ＴＰＣコマンドフィールド、他のフィールド、または、これらの任意の組み合わせを含んでいてもよい。
【００４５】
１つの設計において、ＬＴＥに対して、ＵＥは、ＰＤＣＣＨ上でセミパーシステント割当てを受信してもよく、ＰＤＳＣＨ上でデータの伝送を受信してもよい。ＡＣＫリソースは、ＰＵＣＣＨに対するものであってもよい。ＵＥはまた、他のダウンリンクチャネル上で、セミパーシステント割当てと、データの伝送とを受信してもよく、他のアップリンクチャネル上で、ＡＣＫ情報を送ってもよい。
【００４６】
図７は、ワイヤレス通信システム中でデータを受信する装置７００の設計を示す。装置７００は、ＵＥに対するデータの複数の伝送に対して有効なセミパーシステント割当てを受信するモジュール７１２と、セミパーシステント割当てから、データの複数の伝送に対してＵＥに割り当てられているＡＣＫリソースの割当てを取得するモジュール７１４と、セミパーシステント割当てにしたがって送られたデータの伝送を受信するモジュール７１６と、データの伝送に対するＡＣＫ情報を決定するモジュール７１８と、ＡＣＫリソースにより、ＡＣＫ情報を送るモジュール７２０とを含む。
【００４７】
図８は、ダイナミックスケジューリングと、セミパーシステントスケジューリングとにより、データを受信するプロセス８００の設計を示す。プロセス８００は、（以下で記述するように）ＵＥにより実行されてもよく、または、他の何らかのエンティティにより実行されてもよい。ＵＥは、ダイナミックスケジューリングによる、データの単一の伝送のためのスケジューリング情報を搬送する第１のスケジューリングメッセージを受信してもよい（ブロック８１２）。ＵＥは、スケジューリング情報にしたがって送られたデータの第１の伝送を受信してもよい（ブロック８１４）。ＵＥは、第１のスケジューリングメッセージを送るために使用されたリソース（例えば、ＣＣＥ）に関係する第１のＡＣＫリソースにより、データの第１の伝送に対する第１のＡＣＫ情報を送ってもよい（ブロック８１６）。第１のＡＣＫリソースは、ＡＣＫ情報の単一の伝送に対して有効であってもよい。
【００４８】
ＵＥはまた、セミパーシステントスケジューリングによる、データの複数の伝送のためのセミパーシステント割当てを搬送する第２のスケジューリングメッセージを受信してもよい（ブロック８１８）。ＵＥは、セミパーシステント割当てにしたがって送られたデータの第２の伝送を受信してもよい（ブロック８２０）。ＵＥは、セミパーシステント割当てにより伝達された第２のＡＣＫリソースにより、データの第２の伝送に対する第２のＡＣＫ情報を送ってもよい（ブロック８２２）。ＵＥは、セミパーシステント割当てにしたがって送られたデータの追加の伝送を受信してもよい。ＵＥは、第２のＡＣＫリソースにより、データのこれらの追加の伝送に対するＡＣＫ情報を送ってもよい。第２のＡＣＫリソースは、ＡＣＫ情報の複数の伝送に対して有効であってもよい。
【００４９】
１つの設計において、ＵＥは、第２のスケジューリングメッセージの少なくとも１つのフィールドから、第２のＡＣＫリソースのインデックスを取得してもよい。第１および第２のスケジューリングメッセージは、（例えば、図４Ａまたは４Ｂ中で示すような）同じフォーマットを、または、（図４Ａおよび４Ｂ中で示すような）異なるフォーマットを有していてもよい。これらのスケジューリングメッセージは、少なくとも１つのフィールドと、１つ以上の追加のフィールドとを含んでいてもよい。少なくとも１つのフィールドは、セミパーシステントスケジューリングに対して、ＡＣＫリソースインデックスを搬送してもよく、ダイナミックスケジューリングに対して、スケジューリング情報を搬送してもよい。
【００５０】
１つの設計において、ＵＥは、ＵＥに割り当てられている第１のＣ−ＲＮＴＩに基づいて、第１のスケジューリングメッセージを検出してもよい。ＵＥは、セミパーシステントスケジューリングのためにＵＥに割り当てられている第２のＣ−ＲＮＴＩに基づいて、第２のスケジューリングメッセージを検出してもよい。ＵＥはまた、例えば、異なるスクランブリング、スケジューリングメッセージ中の特別のビットなどのような、他のメカニズムに基づいて、スケジューリングメッセージが、ダイナミックスケジューリングに対するものであるか、または、セミパーシステントスケジューリングに対するものであるかを決定してもよい。
【００５１】
１つの設計において、ＵＥは、第１のスケジューリングメッセージから、第１のＭＣＳ値を取得してもよく、第１のＭＣＳ値にしたがって、データの第１の伝送を処理してもよい。第１のＭＣＳ値は、ダイナミックスケジューリングに対して適用可能な、第１の複数のＭＣＳ値のうちの１つであってもよい。ＵＥは、第２のスケジューリングメッセージから第２のＭＣＳ値を取得してもよく、第２のＭＣＳ値にしたがって、データの第２の伝送を処理してもよい。第２のＭＣＳ値は、セミパーシステントスケジューリングに対して適用可能な、第２の複数のＭＣＳ値のうちの１つであってもよい。第２の複数のＭＣＳ値は、第１の複数のＭＣＳ値よりも少なくてもよく、第２のＭＣＳ値は、第１のＭＣＳ値よりも少ないビットにより送られてもよい。
【００５２】
図９は、ワイヤレス通信システム中でデータを受信する装置９００の設計を示す。装置９００は、データの単一の伝送のためのスケジューリング情報を搬送する第１のスケジューリングメッセージを受信するモジュール９１２と、スケジューリング情報にしたがって送られたデータの第１の伝送を受信するモジュール９１４と、第１のスケジューリングメッセージを送るために使用されたリソースに関係する第１のＡＣＫリソースにより、データの第１の伝送に対する第１のＡＣＫ情報を送るモジュール９１６と、データの複数の伝送のためのセミパーシステント割当てを搬送する第２のスケジューリングメッセージを受信するモジュール９１８と、セミパーシステント割当てにしたがって送られたデータの第２の伝送を受信するモジュール９２０と、セミパーシステント割当てにより伝達された第２のＡＣＫリソースにより、データの第２の伝送に対する第２のＡＣＫ情報を送るモジュール９２２とを含む。
【００５３】
図１０は、セミパーシステントスケジューリングによりデータを送るプロセス１０００の設計を示す。プロセス１０００は、（以下で記述するように）ノードＢにより実行されてもよく、または、他の何らかのエンティティにより実行されてもよい。ノードＢは、セミパーシステントスケジューリングのために、ＡＣＫリソースをＵＥに割り当ててもよい（ブロック１０１２）。ノードＢは、ＡＣＫリソースを含むセミパーシステント割当てをＵＥに送ってもよい（ブロック１０１４）。セミパーシステント割当ては、データの複数の伝送に対して有効であってもよい。ＡＣＫリソースは、データの複数の伝送に対してＵＥに割り当てられてもよい。ノードＢは、セミパーシステント割当てにしたがって、ＵＥに対してデータの伝送を送ってもよい（ブロック１０１６）。ノードＢは、データの伝送に対するＡＣＫ情報を受信してもよく、ＡＣＫ情報は、ＡＣＫリソースにより、ＵＥによって送られている（ブロック１０１８）。ノードＢは、セミパーシステント割当てにしたがって、データの追加の伝送を送ってもよい。ノードＢは、ＡＣＫリソース上で、データのこれらの追加の伝送に対するＡＣＫ情報を受信してもよい。
【００５４】
ブロック１０１４の１つの設計において、ノードＢは、ＵＥに割り当てられるＡＣＫリソースのインデックスを、スケジューリングメッセージの少なくとも１つのフィールドにマッピングしてもよい。少なくとも１つのフィールドは、新規インジケータフィールド、冗長バージョンフィールド、ＭＣＳフィールド、ＴＰＣコマンドフィールド、および／または他のフィールドを含んでいてもよい。ノードＢは、セミパーシステント割当てに対する残りの情報を、スケジューリングメッセージの残りのフィールドおよびビットにマッピングしてもよい。１つの設計において、ノードＢは、セミパーシステントスケジューリングのために使用されるＣ−ＲＮＴＩに基づいて、スケジューリングメッセージを処理してもよい。ノードＢはまた、他のメカニズムに基づいて、スケジューリングメッセージがセミパーシステントスケジューリングに対するものであることを示してもよい。ノードＢは、スケジューリングメッセージをＵＥに送ってもよい。スケジューリングメッセージはまた、ダイナミックスケジューリングに対するスケジューリング情報を送るために使用してもよい。１つの設計において、ＬＴＥに対して、ノードＢは、ＰＤＣＣＨ上でセミパーシステント割当てを送ってもよく、ＰＤＳＣＨ上でデータの伝送を送ってもよい。ＡＣＫリソースは、ＰＵＣＣＨに対するものであってもよい。ノードＢはまた、他のダウンリンクチャネル上で、セミパーシステント割当てと、データの伝送とを送ってもよく、他のアップリンクチャネル上でＡＣＫ情報を受信してもよい。
【００５５】
図１１は、ワイヤレス通信システム中でデータを送る装置１１００の設計を示す。装置１１００は、ＡＣＫリソースをＵＥに割り当てるモジュール１１１２と、ＡＣＫリソースを含むセミパーシステント割当てをＵＥに送るモジュールであって、セミパーシステント割当ては、データの複数の伝送に対して有効であり、ＡＣＫリソースは、データの複数の伝送に対してＵＥに割り当てられている、モジュール１１１４と、セミパーシステント割当てにしたがって、ＵＥに対してデータの伝送を送るモジュール１１１６と、データの伝送に対するＡＣＫ情報を受信するモジュールであって、ＡＣＫ情報は、ＡＣＫリソースにより、ＵＥによって送られているモジュール１１１８とを含む。
【００５６】
図１２は、ダイナミックスケジューリングと、セミパーシステントスケジューリングとによりデータを送るプロセス１２００の設計を示す。プロセス１２００は、（以下で記述するように）ノードＢにより実行されてもよく、または、他の何らかのエンティティにより実行されてもよい。ノードＢは、データの単一の伝送のためのスケジューリング情報を搬送する第１のスケジューリングメッセージをＵＥに送ってもよい（ブロック１２１２）。ノードＢは、スケジューリング情報にしたがって、データの第１の伝送をＵＥに送ってもよい（ブロック１２１４）。ノードＢは、データの第１の伝送に対する第１のＡＣＫ情報を受信してもよく、第１のＡＣＫ情報は、第１のスケジューリングメッセージを送るために使用されたリソース（例えば、ＣＣＥ）に関係する第１のＡＣＫリソースにより、ＵＥによって送られている（ブロック１２１６）。第１のＡＣＫリソースは、ＡＣＫ情報の単一の伝送に対して有効であってもよい。
【００５７】
ノードＢは、データの複数の伝送のためのセミパーシステント割当てを搬送する第２のスケジューリングメッセージをＵＥに送ってもよい（ブロック１２１８）。ノードＢは、セミパーシステント割当てにしたがって、データの第２の伝送をＵＥに送ってもよい（ブロック１２２０）。ノードＢは、データの第２の伝送に対する第２のＡＣＫ情報を受信してもよく、第２のＡＣＫ情報は、セミパーシステント割当てにより伝達された第２のＡＣＫリソースにより、ＵＥによって送られている（ブロック１２２２）。ノードＢは、セミパーシステント割当てにしたがって、データの追加の伝送を送ってもよい。ノードＢは、第２のＡＣＫリソース上で、データのこれらの追加の伝送に対するＡＣＫ情報を受信してもよく、第２のＡＣＫリソースは、ＡＣＫ情報の複数の伝送に対して有効であってもよい。
【００５８】
ブロック１２１８の１つの設計において、ノードＢは、第２のＡＣＫリソースのインデックスを、第２のスケジューリングメッセージの少なくとも１つのフィールドにマッピングしてもよい。第１および第２のスケジューリングメッセージは、同じフォーマットまたは異なるフォーマットを有していてもよく、少なくとも１つのフィールドと、１つ以上の追加のフィールドとを含んでいてもよい。少なくとも１つのフィールドは、セミパーシステントスケジューリングに対して、ＡＣＫリソースインデックスを搬送してもよく、ダイナミックスケジューリングに対して、スケジューリング情報を搬送してもよい。
【００５９】
１つの設計において、ノードＢは、ＵＲに割り当てられる第１のＣ−ＲＮＴＩにより、第１のスケジューリングメッセージを処理（例えば、第１のスケジューリングメッセージに対するＣＲＣをスクランブルする）してもよい。ノードＢは、セミパーシステントスケジューリングに対して、ＵＥに割り当てられる第２のＣ−ＲＮＴＩにより、第２のスケジューリングメッセージを処理してもよい。ノードＢはまた、他のメカニズムに基づいて、スケジューリングメッセージが、ダイナミックスケジューリングに対するものであるか、または、セミパーシステントスケジューリングに対するものであるかを示してもよい。
【００６０】
１つの設計において、ノードＢは、ダイナミックスケジューリングに対して適用可能な、第１の複数のＭＣＳ値から、第１のＭＣＳ値を選択してもよい。ノードＢは、第１のＭＣＳ値にしたがって、データの第１の伝送を処理してもよい。ノードＢは、セミパーシステントスケジューリングに対して適用可能な、第２の複数のＭＣＳ値から、第２のＭＣＳ値を選択してもよい。ノードＢは、第２のＭＣＳ値にしたがって、データの第２の伝送を処理してもよい。第２の複数のＭＣＳ値は、第１の複数のＭＣＳ値よりも少なくてもよい。
【００６１】
図１３は、ワイヤレス通信システム中でデータを送る装置１３００の設計を示す。装置１３００は、データの単一の伝送のためのスケジューリング情報を搬送する第１のスケジューリングメッセージをＵＥに送るモジュール１３１２と、スケジューリング情報にしたがって、データの第１の伝送をＵＥに送るモジュール１３１４と、第１のスケジューリングメッセージを送るために使用されたリソースに関係する第１のＡＣＫリソース上で、データの第１の伝送に対する第１のＡＣＫ情報を受信するモジュール１３１６と、データの複数の伝送のためのセミパーシステント割当てを搬送する第２のスケジューリングメッセージをＵＥに送るモジュール１３１８と、セミパーシステント割当てにしたがって、データの第２の伝送をＵＥに送るモジュール１３２０と、セミパーシステント割当てにより伝達された第２のＡＣＫリソース上で、データの第２の伝送に対する第２のＡＣＫ情報を受信するモジュール１３２２とを含む。
【００６２】
図７、９、１１および１３中のモジュールは、プロセッサ、電子デバイス、ハードウェアデバイス、電子コンポーネント、論理回路、メモリ、ソフトウェアコード、ファームウェアコードなど、または、これらの任意の組み合わせを備えていてもよい。
【００６３】
ここで記述した技術は、セミパーシステントスケジューリングに対して、ＡＣＫリソースの効率的な割当てを可能にする。ダイナミックスケジューリングに対して、ＡＣＫリソースは、スケジューリング情報を搬送するＣＣＥと関連していてもよく、追加のシグナリングオーバーヘッドを招来することなく、ＵＥに都合よく割り当てられてもよい。これは、ＰＤＳＣＨ上でのデータの各伝送が、ＰＤＣＣＨ上で送られるスケジューリング情報によりスケジュールされるときに可能である。セミパーシステントスケジューリングに対して、セミパーシステント割当ては、データの最初の伝送とともに、ＰＤＣＣＨ上で一度送られてもよく、データの後続の新しい伝送に対して、いかなるスケジューリング情報も送らなくてもよい。このケースにおいて、上述したように、データの後続の新規の伝送に対するＡＣＫリソースは、スケジューリング情報を搬送するＣＣＥと関係付けることができず、セミパーシステント割当てにより提供されてもよい。
【００６４】
ここで記述した技術は、上述したように、ＰＵＣＣＨ上で送られるレイヤ１シグナリングを使用して、セミパーシステントスケジューリングに対するＡＣＫリソースのダイナミックな割当てを可能にする。技術は、レイヤ３（例えば、ＲＲＣ）シグナリングを使用して、セミパーシステントスケジューリングに対してＡＣＫリソースを割り当てることよりも（オーバーヘッドの点から）より効率的であるかもしれない。本技術はまた、セミパーシステントスケジューリングに対して、アクティブな各ＵＥにＡＣＫリソースを静的に割り当てることよりも（リソース使用の点で）効率的であるかもしれない。
【００６５】
図１４は、ノードＢ１１０およびＵＥ１２０の設計のブロック図を示す。ノードＢ１１０およびＵＥ１２０は、図１中の、ノードＢのうちの１つと、ＵＥのうちの１つとであってもよい。この設計において、ノードＢ１１０は、Ｔ本のアンテナ１４３４ａないし１４３４ｔを備えおり、ＵＥ１２０は、Ｒ本のアンテナ１４５２ａないし１４５２ｒを備えている。ここで、一般に、Ｔ≧１およびＲ≧１である。
【００６６】
ノードＢ１１０において、送信プロセッサ１４２０は、データ源１４１２から１つ以上のＵＥに対するデータ（例えば、トランスポートブロック）を受け取り、各ＵＥに対する１つ以上のＭＣＳ値に基づいて、そのＵＥに対するデータを処理し、すべてのＵＥに対するデータシンボルを提供する。送信プロセッサ１４２０はまた、制御装置／プロセッサ１４４０からの制御情報（例えば、ダイナミックスケジューリングとセミパーシステントスケジューリングとに対するスケジューリングメッセージ）を処理してもよい。送信（ＴＸ）複数入力複数出力（ＭＩＭＯ）プロセッサ１４３０は、データシンボル、制御シンボル、および／または、パイロットシンボルを多重化してもよい。ＴＸ ＭＩＭＯプロセッサ１４３０は、該当する場合には、多重化されたシンボルに対して空間処理（例えば、プリコーディング）を実行して、Ｔ個の出力シンボルストリームを、Ｔ個の変調器（ＭＯＤ）１４３２ａないし１４３２ｔに提供してもよい。各変調器１４３２は、（例えば、ＯＦＤＭに対する）それぞれの出力シンボルストリームを処理して、出力サンプルストリームを取得してもよい。各変調器１４３２はさらに、出力サンプルストリームを処理して（例えば、アナログに変換し、増幅し、フィルタリングし、アップコンバートする）、ダウンリンク信号を取得してもよい。変調器１４３２ａないし１４３２ｔからのＴ個のダウンリンク信号は、それぞれ、Ｔ本のアンテナ１４３４ａないし１４３４ｔを通して送信してもよい。
【００６７】
ＵＥ１２０において、アンテナ１４５２ａないし１４５２ｒは、ノードＢ１１０からダウンリンク信号を受信してもよく、受信した信号を、それぞれ、復調器（ＤＥＭＯＤ）１４５４ａないし１４５４ｒに提供してもよい。各復調器１４５４は、それぞれの受信信号を調整して（例えば、フィルタリングし、増幅し、ダウンコンバートし、デジタル化する）、入力サンプルを取得してもよい。各復調器１４５４はさらに、（例えば、ＯＦＤＭに対する）入力サンプルを処理して、受信シンボルを取得してもよい。ＭＩＭＯ検出器１４５６は、すべてのＲ個の復調器１４５４ａないし１４５４ｒから受信シンボルを取得し、該当する場合には、受信シンボルに対してＭＩＭＯ検出を実行し、検出されたシンボルを提供してもよい。受信プロセッサ１４５８は、検出されたシンボルを処理し（例えば、復調し、デインターリーブし、デコードする）、ＵＥ１２０に対するデコードされたデータをデータシンク１４６０に提供し、デコードされた制御情報を制御装置／プロセッサ１４８０に提供してもよい。
【００６８】
アップリンク上で、ＵＥ１２０において、データ源１４６２からのデータと、制御装置／プロセッサ１４８０からの制御情報（例えば、ＡＣＫ情報など）は、送信プロセッサ１４６４により処理され、該当する場合にはＴＸ ＭＩＭＯプロセッサ１４６６によりプリコードされ、変調器１４５４ａないし１４５４ｒにより調整され、ノードＢ１１０に送信されてもよい。ノードＢ１１０において、ＵＥ１２０からのアップリンク信号は、アンテナ１４３４により受信され、復調器１４３２により調整され、該当する場合にはＭＩＭＯ検出器１４３６により処理され、さらに受信プロセッサ１４３８により処理されて、ＵＥ１２０により送信されたデータおよび制御情報が取得されてもよい。
【００６９】
制御装置／プロセッサ１４４０および１４８０は、それぞれ、ノードＢ１１０およびＵＥ１２０において動作を指示してもよい。ＵＥ１２０における、プロセッサ１４８０、ならびに／あるいは、他のプロセッサおよびモジュールは、図６中のプロセス６００、図８中のプロセス８００、および／または、ここで記述した技術に対する他のプロセスを実行または指示してもよい。ノードＢ１１０における、プロセッサ１４４０、ならびに／あるいは、他のプロセッサおよびモジュールは、図１０中のプロセス１０００、図１２中のプロセス１２００、および／または、ここで記述した技術に対する他のプロセスを実行または指示してもよい。送信プロセッサ１４２０は、図５中の処理ユニット５００を実現してもよい。メモリ１４４２および１４８２は、それぞれ、ノードＢ１１０およびＵＥ１２０に対するデータおよびプログラムコードを記憶してもよい。スケジューラ１４４４は、ダウンリンクおよび／またはアップリンク送信に対してＵＥをスケジュールしてもよく、スケジュールされたＵＥに対してリソース（例えば、ＡＣＫリソース）の割当てを提供してもよい。
【００７０】
さまざまな異なる技術および技法のいずれかを使用して情報および信号を表わしてもよいことを、当業者は理解するであろう。例えば、電圧、電流、電磁波、磁界または磁気粒子、光領域または光粒子、あるいはそれらの任意の組み合わせにより、上の記述を通して参照されているデータ、命令、コマンド、情報、信号、ビット、シンボルおよびチップを表わしてもよい。
【００７１】
電子ハードウェア、コンピュータソフトウェアまたは両方の組み合わせとして、ここでの開示に関して記述したさまざまな実例となる論理ブロック、モジュール、回路およびアルゴリズムステップを実現してもよいことを、当業者はさらに理解するであろう。ハードウェアおよびソフトウェアのこの互換性を明瞭に説明するために、さまざまな実例となるコンポーネント、ブロック、モジュール、回路、およびステップをそれらの機能の点から一般的に上述した。このような機能がハードウェアまたはソフトウェアとして実現されるかどうかは、特定の用途およびシステム全体に課される設計制約に依存する。当業者は、各特定の用途に対して、さまざまな方法で、記述した機能を実現するかもしれないが、そのような実現の決定は、本開示の範囲からの逸脱を生じさせるものとして解釈すべきではない。
【００７２】
汎用プロセッサ、デジタル信号プロセッサ（ＤＳＰ），特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここでの開示に関して記述した、さまざまな実例となる、論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【００７３】
ここでの開示に関して記述した方法またはアルゴリズムのステップを、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ，または技術的に知られている他の任意の形態の記憶媒体中に存在してもよい。プロセッサが記憶媒体から情報を読み取ることができ、記憶媒体に情報を書き込むことができるように、例示的な記憶媒体はプロセッサに結合されている。代わりに、記憶媒体はプロセッサと一体化されていてもよい。プロセッサおよび記憶媒体は、ＡＳＩＣ中に存在してもよい。ＡＳＩＣはユーザ端末中に存在してもよい。代わりに、プロセッサおよび記憶媒体は、ユーザ端末中にディスクリートコンポーネントとして存在してもよい。
【００７４】
１つ以上の例示的な設計において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、汎用または特殊用途のコンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するために使用でき、そして、汎用用途または特殊用途のコンピュータ、あるいは、汎用用途または特殊用途のプロセッサによりアクセスできる他の任意の媒体を備えることができる。さらに、いくつかの接続は、適切にコンピュータ読み取り可能媒体と呼ばれる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【００７５】
いかなる当業者であっても本開示を実施しまたは使用できるように、本開示の記述をこれまでに提供している。本開示に対してさまざまな修正が当業者に容易に明らかであり、本開示の精神または範囲から逸脱することなく、ここで規定した一般的な原理を、他のバリエーションに適用してもよい。したがって、本開示は、ここで記述した例および設計に限定されるように意図されていないが、ここで開示した原理および新規な特徴に矛盾しない最も広い範囲に一致すべきである。
以下に、本願出願の当初の特許請求の範囲に記載された発明を付記する。
［１］ワイヤレス通信のための方法において、
ユーザ機器（ＵＥ）に対するセミパーシステント割当てを受信し、前記セミパーシステント割当ては、データの複数の伝送に対して有効であることと、
前記セミパーシステント割当てから、肯定応答（ＡＣＫ）リソースの割当てを取得し、前記ＡＣＫリソースは、前記データの複数の伝送に対して前記ＵＥに割り当てられていることと、
前記セミパーシステント割当てにしたがって送られたデータの伝送を受信することと、
前記データの伝送に対するＡＣＫ情報を決定することと、
前記ＡＣＫリソースにより、前記ＡＣＫ情報を送ることとを含む方法。
［２］前記ＡＣＫリソースの割当てを取得することは、
前記セミパーシステント割当てから、前記ＡＣＫリソースのインデックスを取得することと、
前記インデックスと、１組の設定されているＡＣＫリソースとに基づいて、前記ＡＣＫリソースを決定することとを含む上記［１］記載の方法。
［３］前記ＡＣＫリソースの割当てを取得することは、
前記セミパーシステント割当てを搬送するスケジューリングメッセージの少なくとも１つのフィールドから、前記ＡＣＫリソースのインデックスを取得することと、
前記インデックスに基づいて、前記ＡＣＫリソースを決定することとを含む上記［１］記載の方法。
［４］前記少なくとも１つのフィールドは、新規データインジケータフィールドと、冗長バージョンフィールドと、変調およびコーディングスキーム（ＭＣＳ）フィールドと、送信電力制御（ＴＰＣ）コマンドフィールドとのうちの少なくとも１つを備える上記［３］記載の方法。
［５］前記スケジューリングメッセージは、ダイナミックスケジューリングにより、データの単一の伝送のためのスケジューリング情報を送るためにも使用される上記［３］記載の方法。
［６］前記セミパーシステント割当てを受信することは、
セミパーシステントスケジューリングに対して使用されているセル無線ネットワーク一時識別子（Ｃ−ＲＮＴＩ）に基づいて、スケジューリングメッセージを検出することと、
前記スケジューリングメッセージから、前記セミパーシステント割当てを取得することとを含む上記［１］記載の方法。
［７］前記セミパーシステント割当ては、物理ダウンリンク制御チャネル（ＰＤＣＣＨ）上で受信され、前記データの伝送は、物理ダウンリンク共有チャネル（ＰＤＳＣＨ）上で受信され、前記ＡＣＫリソースは、物理アップリンク制御チャネル（ＰＵＣＣＨ）に対するものである上記［１］記載の方法。
［８］ワイヤレス通信のための装置において、
ユーザ機器（ＵＥ）に対するセミパーシステント割当てを受信し、前記セミパーシステント割当てから、肯定応答（ＡＣＫ）リソースの割当てを取得し、前記セミパーシステント割当てにしたがって送られたデータの伝送を受信し、前記データの伝送に対するＡＣＫ情報を決定し、前記ＡＣＫリソースにより、前記ＡＣＫ情報を送るように構成されている少なくとも１つのプロセッサを具備し、
前記セミパーシステント割当ては、データの複数の伝送に対して有効であり、
前記ＡＣＫリソースは、前記データの複数の伝送に対して前記ＵＥに割り当てられている装置。
［９］前記少なくとも１つのプロセッサは、前記セミパーシステント割当てを搬送するスケジューリングメッセージの少なくとも１つのフィールドから、前記ＡＣＫリソースのインデックスを取得し、前記インデックスに基づいて、前記ＡＣＫリソースを決定するように構成されており、
前記少なくとも１つのフィールドは、新規データインジケータフィールドと、冗長バージョンフィールドと、変調およびコーディングスキーム（ＭＣＳ）フィールドと、送信電力制御（ＴＰＣ）コマンドフィールドとのうちの少なくとも１つを備える上記［８］記載の装置。
［１０］前記少なくとも１つのプロセッサは、セミパーシステントスケジューリングに対して使用されているセル無線ネットワーク一時識別子（Ｃ−ＲＮＴＩ）に基づいて、スケジューリングメッセージを検出し、前記スケジューリングメッセージから、前記セミパーシステント割当てを取得するように構成されている上記［８］記載の装置。
［１１］ワイヤレス通信のための装置において、
ユーザ機器（ＵＥ）に対するセミパーシステント割当てを受信する手段と、
前記セミパーシステント割当てから、肯定応答（ＡＣＫ）リソースの割当てを取得する手段と、
前記セミパーシステント割当てにしたがって送られたデータの伝送を受信する手段と、
前記データの伝送に対するＡＣＫ情報を決定する手段と、
前記ＡＣＫリソースにより、前記ＡＣＫ情報を送る手段とを具備し、
前記セミパーシステント割当ては、データの複数の伝送に対して有効であり、
前記ＡＣＫリソースは、前記データの複数の伝送に対して前記ＵＥに割り当てられている装置。
［１２］前記ＡＣＫリソースの割当てを取得する手段は、
前記セミパーシステント割当てを搬送するスケジューリングメッセージの少なくとも１つのフィールドから、前記ＡＣＫリソースのインデックスを取得する手段と、
前記インデックスに基づいて、前記ＡＣＫリソースを決定する手段とを具備し、
前記少なくとも１つのフィールドは、新規データインジケータフィールドと、冗長バージョンフィールドと、変調およびコーディングスキーム（ＭＣＳ）フィールドと、送信電力制御（ＴＰＣ）コマンドフィールドとのうちの少なくとも１つを備える上記［１１］記載の装置。
［１３］前記セミパーシステント割当てを受信する手段は、
セミパーシステントスケジューリングに対して使用されているセル無線ネットワーク一時識別子（Ｃ−ＲＮＴＩ）に基づいて、スケジューリングメッセージを検出する手段と、
前記スケジューリングメッセージから、前記セミパーシステント割当てを取得する手段とを具備する上記［１１］記載の装置。
［１４］コンピュータプログラムプロダクトにおいて、
ユーザ機器（ＵＥ）に対するセミパーシステント割当てを、少なくとも１つのコンピュータに受信させるためのコードと、
前記セミパーシステント割当てから、肯定応答（ＡＣＫ）リソースの割当てを、少なくとも１つのコンピュータに取得させるためのコードと、
前記セミパーシステント割当てにしたがって送られたデータの伝送を、少なくとも１つのコンピュータに受信させるためのコードと、
前記データの伝送に対するＡＣＫ情報を、少なくとも１つのコンピュータに決定させるためのコードと、
前記ＡＣＫリソースにより、前記ＡＣＫ情報を、少なくとも１つのコンピュータに送らせるためのコードと、
を備えるコンピュータ読取り可能媒体を具備し、
前記セミパーシステント割当ては、データの複数の伝送に対して有効であり、
前記ＡＣＫリソースは、前記データの複数の伝送に対して前記ＵＥに割り当てられているコンピュータプログラムプロダクト。
［１５］ワイヤレス通信のための方法において、
データの単一の伝送のためのスケジューリング情報を搬送する第１のスケジューリングメッセージを受信することと、
前記スケジューリング情報にしたがって送られたデータの第１の伝送を受信することと、
前記第１のスケジューリングメッセージを送るのに使用されたリソースに関係する第１のＡＣＫリソースにより、前記データの第１の伝送に対する第１の肯定応答（ＡＣＫ）情報を送ることと、
データの複数の伝送のためのセミパーシステント割当てを搬送する第２のスケジューリングメッセージを受信することと、
前記セミパーシステント割当てにしたがって送られたデータの第２の伝送を受信することと、
前記セミパーシステント割当てにより伝達された第２のＡＣＫリソースにより、前記データの第２の伝送に対する第２のＡＣＫ情報を送ることとを含む方法。
［１６］前記第２のスケジューリングメッセージの少なくとも１つのフィールドから、前記第２のＡＣＫリソースのインデックスを取得することをさらに含み、前記少なくとも１つのフィールドは、セミパーシステントスケジューリングに対して、ＡＣＫリソースのインデックスを搬送し、ダイナミックスケジューリングに対して、スケジューリング情報を搬送する上記［１５］記載の方法。
［１７］ユーザ機器（ＵＥ）に割り当てられている、第１のセル無線ネットワーク一時識別子（Ｃ−ＲＮＴＩ）に基づいて、前記第１のスケジューリングメッセージを検出することと、
セミパーシステントスケジューリングに対して前記ＵＥに割り当てられている、第２のＣ−ＲＮＴＩに基づいて、前記第２のスケジューリングメッセージを検出することとをさらに含む上記［１５］記載の方法。
［１８］前記第１のスケジューリングメッセージから、第１の変調およびコーディングスキーム（ＭＣＳ）値を取得することと、
前記第１のＭＣＳ値にしたがって、前記データの第１の伝送を処理することと、
前記第２のスケジューリングメッセージから第２のＭＣＳ値を取得することと、
前記第２のＭＣＳ値にしたがって、前記データの第２の伝送を処理することとをさらに含み、
前記第１のＭＣＳ値は、ダイナミックスケジューリングに対して適用可能な、第１の複数のＭＣＳ値のうちの１つであり、
前記第２のＭＣＳ値は、セミパーシステントスケジューリングに対して適用可能な、第２の複数のＭＣＳ値のうちの１つであり、前記第２の複数のＭＣＳ値は、前記第１の複数のＭＣＳ値よりも少ない上記［１５］記載の方法。
［１９］前記第１のＡＣＫリソースは、ＡＣＫ情報の単一の伝送に対して有効であり、前記第２のＡＣＫリソースは、ＡＣＫ情報の複数の伝送に対して有効である上記［１５］記載の方法。
［２０］ワイヤレス通信のための装置において、
データの単一の伝送のためのスケジューリング情報を搬送する第１のスケジューリングメッセージを受信し、前記スケジューリング情報にしたがって送られたデータの第１の伝送を受信し、前記第１のスケジューリングメッセージを送るのに使用されたリソースに関係する第１のＡＣＫリソースにより、前記データの第１の伝送に対する第１の肯定応答（ＡＣＫ）情報を送り、データの複数の伝送のためのセミパーシステント割当てを搬送する第２のスケジューリングメッセージを受信し、前記セミパーシステント割当てにしたがって送られたデータの第２の伝送を受信し、前記セミパーシステント割当てにより伝達された第２のＡＣＫリソースにより、前記データの第２の伝送に対する第２のＡＣＫ情報を送るように構成されている少なくとも１つのプロセッサを具備する装置。
［２１］前記少なくとも１つのプロセッサは、前記第２のスケジューリングメッセージの少なくとも１つのフィールドから、前記第２のＡＣＫリソースのインデックスを取得するように構成されており、前記少なくとも１つのフィールドは、セミパーシステントスケジューリングに対して、ＡＣＫリソースのインデックスを搬送し、ダイナミックスケジューリングに対して、スケジューリング情報を搬送する上記［２０］記載の装置。
［２２］前記少なくとも１つのプロセッサは、ユーザ機器（ＵＥ）に割り当てられている、第１のセル無線ネットワーク一時識別子（Ｃ−ＲＮＴＩ）に基づいて、前記第１のスケジューリングメッセージを検出し、セミパーシステントスケジューリングに対して前記ＵＥに割り当てられている第２のＣ−ＲＮＴＩに基づいて、前記第２のスケジューリングメッセージを検出するように構成されている上記［２０］記載の装置。
［２３］ワイヤレス通信のための方法において、
肯定応答（ＡＣＫ）リソースをユーザ機器（ＵＥ）に割り当てることと、
前記ＡＣＫリソースを含んでいるセミパーシステント割当てを前記ＵＥに送り、前記セミパーシステント割当ては、データの複数の伝送に対して有効であり、前記ＡＣＫリソースは、前記データの複数の伝送に対して前記ＵＥに割り当てられていることと、
前記セミパーシステント割当てにしたがって、データの伝送を前記ＵＥに送ることと、
前記データの伝送に対するＡＣＫ情報を受信し、前記ＡＣＫ情報は、前記ＡＣＫリソースにより、前記ＵＥによって送られていることとを含む方法。
［２４］前記セミパーシステント割当てを送ることは、
前記ＡＣＫリソースのインデックスを、スケジューリングメッセージの少なくとも１つのフィールドにマッピングすることと、
前記セミパーシステント割当てに対する残りの情報を、前記スケジューリングメッセージの、残りのフィールドとビットとにマッピングすることと、
前記スケジューリングメッセージを前記ＵＥに送ることとを含む上記［２３］記載の方法。
［２５］前記少なくとも１つのフィールドは、新規データインジケータフィールドと、冗長バージョンフィールドと、変調およびコーディングスキーム（ＭＣＳ）フィールドと、送信電力制御（ＴＰＣ）コマンドフィールドとのうちの少なくとも１つを備える上記［２４］記載の方法。
［２６］前記スケジューリングメッセージは、ダイナミックスケジューリングにより、データの単一の伝送のためのスケジューリング情報を送るためにも使用される上記［２４］記載の方法。
［２７］前記セミパーシステント割当てを送ることは、
前記セミパーシステント割当てを搬送するスケジューリングメッセージを発生させることと、
セミパーシステントスケジューリングに対して使用されているセル無線ネットワーク一時識別子（Ｃ−ＲＮＴＩ）に基づいて、前記スケジューリングメッセージを処理することとを含む上記［２３］記載の方法。
［２８］前記セミパーシステント割当ては、物理ダウンリンク制御チャネル（ＰＤＣＣＨ）上で送られ、前記データの伝送は、物理ダウンリンク共有チャネル（ＰＤＳＣＨ）上で送られ、前記ＡＣＫリソースは、物理アップリンク制御チャネル（ＰＵＣＣＨ）に対するものである上記［２３］記載の方法。
［２９］ワイヤレス通信のための装置において、
肯定応答（ＡＣＫ）リソースをユーザ機器（ＵＥ）に割り当て、前記ＡＣＫリソースを含んでいるセミパーシステント割当てを前記ＵＥに送り、前記セミパーシステント割当てにしたがって、データの伝送を前記ＵＥに送り、前記データの伝送に対するＡＣＫ情報を受信するように構成されている少なくとも１つのプロセッサを具備し、前記セミパーシステント割当ては、データの複数の伝送に対して有効であり、前記ＡＣＫリソースは、前記データの複数の伝送に対して前記ＵＥに割り当てられており、前記ＡＣＫ情報は、前記ＡＣＫリソースにより、前記ＵＥによって送られている装置。
［３０］前記少なくとも１つのプロセッサは、前記ＡＣＫリソースのインデックスを、スケジューリングメッセージの少なくとも１つのフィールドにマッピングし、前記セミパーシステント割当てに対する残りの情報を、前記スケジューリングメッセージの、残りのフィールドとビットとにマッピングし、前記スケジューリングメッセージを前記ＵＥに送るように構成されており、前記少なくとも１つのフィールドは、新規データインジケータフィールドと、冗長バージョンフィールドと、変調およびコーディングスキーム（ＭＣＳ）フィールドと、送信電力制御（ＴＰＣ）コマンドフィールドとのうちの少なくとも１つを備えている上記［２９］記載の装置。
［３１］前記少なくとも１つのプロセッサは、前記セミパーシステント割当てを搬送するスケジューリングメッセージを発生させ、セミパーシステントスケジューリングに対して使用されているセル無線ネットワーク一時識別子（Ｃ−ＲＮＴＩ）に基づいて、前記スケジューリングメッセージを処理するように構成されている上記［２９］記載の装置。
［３２］ワイヤレス通信のための方法において、
データの単一の伝送のためのスケジューリング情報を搬送する第１のスケジューリングメッセージを、ユーザ機器（ＵＥ）に送ることと、
前記スケジューリング情報にしたがって、データの第１の伝送を前記ＵＥに送ることと、
前記データの第１の伝送に対する第１の肯定応答（ＡＣＫ）情報を受信し、前記第１のＡＣＫ情報は、前記第１のスケジューリングメッセージを送るのに使用されたリソースに関係する第１のＡＣＫリソースにより、前記ＵＥによって送られていることと、
データの複数の伝送のためのセミパーシステント割当てを搬送する第２のスケジューリングメッセージを、前記ＵＥに送ることと、
前記セミパーシステント割当てにしたがって、データの第２の伝送を前記ＵＥに送ることと、
前記データの第２の伝送に対する第２のＡＣＫ情報を受信し、前記第２のＡＣＫ情報は、前記セミパーシステント割当てにより伝達された第２のＡＣＫリソースにより、前記ＵＥによって送られていることとを含む方法。
［３３］前記第２のＡＣＫリソースのインデックスを、前記第２のスケジューリングメッセージの少なくとも１つのフィールドにマッピングすることをさらに含み、前記少なくとも１つのフィールドは、セミパーシステントスケジューリングに対して、ＡＣＫリソースのインデックスを搬送し、ダイナミックスケジューリングに対して、スケジューリング情報を搬送する上記［３２］記載の方法。
［３４］前記ＵＥに割り当てられている、第１のセル無線ネットワーク一時識別子（Ｃ−ＲＮＴＩ）により、前記第１のスケジューリングメッセージを処理することと、
セミパーシステントスケジューリングに対して前記ＵＥに割り当てられている、第２のＣ−ＲＮＴＩにより、前記第２のスケジューリングメッセージを処理することとをさらに含む上記［３２］記載の方法。
［３５］ダイナミックスケジューリングに対して適用可能な、第１の複数の、変調およびコーディングスキーム（ＭＣＳ）値から、第１のＭＣＳ値を選択することと、
前記第１のＭＣＳ値にしたがって、前記データの第１の伝送を処理することと、
セミパーシステントスケジューリングに対して適用可能な、第２の複数のＭＣＳ値から、第２のＭＣＳ値を選択することと、
前記第２のＭＣＳ値にしたがって、前記データの第２の伝送を処理することとをさらに含み、
前記第２の複数のＭＣＳ値は、前記第１の複数のＭＣＳ値よりも少ない上記［３２］記載の方法。
［３６］前記第１のＡＣＫリソースは、ＡＣＫ情報の単一の伝送に対して有効であり、前記第２のＡＣＫリソースは、ＡＣＫ情報の複数の伝送に対して有効である上記［３２］記載の方法。
［３７］ワイヤレス通信のための装置において、
データの単一の伝送のためのスケジューリング情報を搬送する第１のスケジューリングメッセージを、ユーザ機器（ＵＥ）に送り、前記スケジューリング情報にしたがって、データの第１の伝送を前記ＵＥに送り、前記第１のスケジューリングメッセージを送るのに使用されたリソースに関係する第１のＡＣＫリソース上で、前記データの第１の伝送に対する第１の肯定応答（ＡＣＫ）情報を受信し、データの複数の伝送のためのセミパーシステント割当てを搬送する第２のスケジューリングメッセージを、前記ＵＥに送り、前記セミパーシステント割当てにしたがって、データの第２の伝送を前記ＵＥに送り、前記セミパーシステント割当てにより伝達された第２のＡＣＫリソース上で、前記データの第２の伝送に対する第２のＡＣＫ情報を受信するように構成されている少なくとも１つのプロセッサを具備する装置。
［３８］前記少なくとも１つのプロセッサは、前記第２のＡＣＫリソースのインデックスを、前記第２のスケジューリングメッセージの少なくとも１つのフィールドにマッピングするように構成されており、前記少なくとも１つのフィールドは、セミパーシステントスケジューリングに対して、ＡＣＫリソースのインデックスを搬送し、ダイナミックスケジューリングに対して、スケジューリング情報を搬送する上記［３７］記載の装置。
［３９］前記少なくとも１つのプロセッサは、前記ＵＥに割り当てられている、第１のセル無線ネットワーク一時識別子（Ｃ−ＲＮＴＩ）により、前記第１のスケジューリングメッセージを処理し、セミパーシステントスケジューリングに対して前記ＵＥに割り当てられている、第２のＣ−ＲＮＴＩにより、前記第２のスケジューリングメッセージを処理するように構成されている上記［３７］記載の装置。
【図１】
0005571653.tif 000003
【図２】
0005571653.tif 000004
【図３】
0005571653.tif 000005
【図４Ａ】
0005571653.tif 000006
【図４Ｂ】
0005571653.tif 000007
【図５】
0005571653.tif 000008
【図６】
0005571653.tif 000009
【図７】
0005571653.tif 000010
【図８】
0005571653.tif 000011
【図９】
0005571653.tif 000012
【図１０】
0005571653.tif 000013
【図１１】
0005571653.tif 000014
【図１２】
0005571653.tif 000015
【図１３】
0005571653.tif 000016
【図１４】
0005571653.tif 000017